(57)【要約】【課題】遊技媒体の投入を禁止する状態において投入された遊技者に返却されるべき遊技媒体が返却されないことで遊技者に不利益が生じてしまうことを防止できるスロットマシンを提供すること。【解決手段】メダルセレクタ２９の後側下部に取り付けられる後カバー部材１８０により圧縮バネ１５２を被覆するとともに、メダルセレクタ２９の前側上部位置に取り付けられる前カバー部材１８１により引っ張りバネ１６５を被覆し、圧縮バネ１５２及び引っ張りバネ１６５へのアクセスを困難とし、圧縮バネ１５２や引っ張りバネ１６５が取り外されることを規制する。【選択図】図７
2017159175.tif 000002
【特許請求の範囲】
【請求項１】
各々が識別可能な複数種類の識別情報を変動表示可能な可変表示部を備え、遊技媒体を用いて所定数の賭数を設定し、前記可変表示部を変動表示した後、前記可変表示部の可変表示を停止することで表示結果を導出し、該表示結果に応じて入賞が発生可能なスロットマシンにおいて、
外部から投入された遊技媒体が流下する投入通路と、
前記投入通路を流下する遊技媒体を前記スロットマシンの内方に導く内方側通路と、
前記投入通路の下方に設けられ、該投入通路から落下した遊技媒体を外部に排出する返却口に導く返却側通路と、
前記投入通路を流下する遊技媒体を前記内方側通路へ流下させる第１の状態と、前記投入通路を流下する遊技媒体を前記返却側通路側へ落下させる第２の状態と、に切替可能な切替手段と、
前記切替手段の周辺を被覆することで前記返却側通路外への遊技媒体の落下を防止する落下防止部と、
前記落下防止部の取り外しを規制する規制手段と、
を備える
ことを特徴とするスロットマシン。
【発明の詳細な説明】
【技術分野】
【０００１】
本発明は、各々が識別可能な複数種類の識別情報を変動表示可能な可変表示装置の表示結果に応じて所定の入賞が発生可能なスロットマシンに関する。
【背景技術】
【０００２】
スロットマシンは、一般に、メダル等の遊技媒体を外部から投入することにより規定数の賭数を設定することによりゲームを行うことが可能となる。また、ゲームが開始すると遊技媒体を投入可能な状態から遊技媒体の投入を禁止する状態となり、これに伴って投入された遊技媒体の通路が、内部へ貯留される貯留部へ向かう通路から外部へ返却される返却口へ向かう返却側通路に切り替わるように切替部材が動作し、この間に投入された遊技媒体は、返却側通路を介して返却口から外部に排出され遊技者に返却されるようになっている（例えば、特許文献１参照）。
【先行技術文献】
【特許文献】
【０００３】
【特許文献１】特開２００９−２６８８１６号公報
【発明の概要】
【発明が解決しようとする課題】
【０００４】
しかしながら、この種のスロットマシンでは、流路を切り替える切替部材の動作不良により、遊技媒体の投入を禁止する状態、すなわち外部から投入された遊技媒体が本来遊技者に返却されるべき状態にも関わらず、投入された遊技媒体が遊技者に返却されずに貯留部へ向かう通路を流下してしまうことで遊技者に不利益が生じてしまうことがある。
【０００５】
また、切替部材が正常に動作しても、投入されたメダルの勢いで、返却側通路外に飛び出し、スロットマシンの内部に留まってしまうことがあり、このような場合にも、投入された遊技媒体が遊技者に返却されないことから遊技者に不利益が生じてしまうことがある。
【０００６】
本発明は、このような問題点に着目してなされたものであり、遊技媒体の投入を禁止する状態において投入された遊技者に返却されるべき遊技媒体が返却されないことで遊技者に不利益が生じてしまうことを防止できるスロットマシンを提供することを目的とする。
【課題を解決するための手段】
【０００７】
上記課題を解決するために、手段１のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
外部から投入された前記遊技用価値としての遊技媒体（メダル）が流下する投入通路（メダル流下通路１４６）と、
前記投入通路（メダル流下通路１４６）を流下する遊技媒体（メダル）を前記スロットマシンの内方（ホッパータンク３４ｂ）に導く内方側通路（メダルシュート２００）と、
前記投入通路（メダル流下通路１４６）の下方に設けられ、該投入通路（メダル流下通路１４６）から落下した遊技媒体（メダル）を外部に排出する返却口（メダル払出口９）に導く返却側通路（メダル返却通路１９１）と、
前記投入通路（メダル流下通路１４６）を流下する遊技媒体（メダル）を前記内方側通路（メダルシュート２００）へ流下させる第１の位置（流下位置）と、前記投入通路（メダル流下通路１４６）を流下する遊技媒体（メダル）を前記返却側通路（メダル返却通路１９１）側へ落下させる第２の位置（返却位置）と、に移動可能な切替部材（流路切替板１５０）と、
前記切替部材（流路切替板１５０）が前記第１の位置（流下位置）となるように駆動する駆動手段（流路切替ソレノイド３０）と、
遊技媒体（メダル）の投入を許可する状態において前記駆動手段（流路切替ソレノイド３０）を駆動させ、遊技媒体（メダル）の投入を許可しない状態となったときに前記駆動手段（流路切替ソレノイド３０）の駆動を解除する駆動制御手段（メイン制御部４１）と、
前記駆動手段（流路切替ソレノイド３０）による駆動が解除されたときに、前記切替部材（流路切替板１５０）を前記第１の位置（流下位置）から前記第２の位置（返却位置）へ移動させる動作部材（圧縮バネ１５２、引っ張りバネ１６５）と、
前記動作部材（圧縮バネ１５２、引っ張りバネ１６５）の取り外しを規制する規制手段（後カバー部材１８０、前カバー部材１８１）と、
を備える
ことを特徴としている。
この特徴によれば、切替部材を第１の位置から第２の位置へ移動させる動作部材の取り外しが規制され、動作部材を取り外して切替部材を第１の位置から第２の位置へ移動させないことにより遊技媒体の投入が許可されない状態にも関わらず投入された遊技媒体が内方側通路へ流下してしまうことが防止されるので、遊技媒体の投入を禁止する状態において投入された遊技者に返却されるべき遊技媒体が返却されないことで遊技者に不利益が生じてしまうことを防止できる。
尚、前記動作部材の取り外しを規制する規制手段とは、例えば、動作部材にアクセスできないように被覆する被覆部材、動作部材を痕跡を残さずに取り外せないようにする構造などが該当する。
【０００８】
手段２のスロットマシンは、
遊技用価値を用いて１ゲームに対して所定数の賭数を設定することによりゲームが開始可能となるとともに、各々が識別可能な複数種類の図柄を変動表示可能な可変表示装置（リール２Ｌ、２Ｃ、２Ｒ）に表示結果が導出されることにより１ゲームが終了し、該可変表示装置に導出された表示結果に応じて入賞が発生可能とされたスロットマシン（スロットマシン１）であって、
外部から投入された前記遊技用価値としての遊技媒体（メダル）が流下する投入通路（メダル流下通路１４６）と、
前記投入通路（メダル流下通路１４６）を流下する遊技媒体（メダル）を前記スロットマシンの内方（ホッパータンク３４ｂ）に導く内方側通路（メダルシュート２００）と、
前記投入通路（メダル流下通路１４６）の下方に設けられ、該投入通路（メダル流下通路１４６）から落下した遊技媒体（メダル）を外部に排出する返却口（メダル払出口９）に導く返却側通路（メダル返却通路１９１）と、
前記投入通路（メダル流下通路１４６）を流下する遊技媒体（メダル）を前記内方側通路（メダルシュート２００）へ流下させる第１の位置（流下位置）と、前記投入通路（メダル流下通路１４６）を流下する遊技媒体（メダル）を前記返却側通路（メダル返却通路１９１）側へ落下させる第２の位置（返却位置）と、に移動可能な切替部材（流路切替板１５０）と、
前記切替部材（流路切替板１５０）が前記第１の位置（流下位置）となるように駆動する駆動手段（流路切替ソレノイド３０）と、
遊技媒体（メダル）の投入を許可する状態において前記駆動手段（流路切替ソレノイド３０）を駆動させ、遊技媒体（メダル）の投入を許可しない状態となったときに前記駆動手段（流路切替ソレノイド３０）の駆動を解除する駆動制御手段（メイン制御部４１）と、
前記駆動手段（流路切替ソレノイド３０）による駆動が解除されたときに、前記切替部材（流路切替板１５０）を前記第１の位置（流下位置）から前記第２の位置（返却位置）へ移動させる動作部材（圧縮バネ１５２、引っ張りバネ１６５）と、
を備え、
前記切替部材（流路切替板１５０）は、前記動作部材（圧縮バネ１５２、引っ張りバネ１６５）が取り外されていても前記駆動手段（流路切替ソレノイド３０）による駆動が解除されている状態において該切替部材（流路切替板１５０）の自重により前記第２の位置（返却位置）へ移動するように構成されている
ことを特徴としている。
この特徴によれば、切替部材を第１の位置から第２の位置へ移動させる動作部材が取り外されても、駆動手段による駆動が解除されている状態では切替部材の自重により第２の位置に移動し、動作部材が取り外された場合でも、遊技媒体の投入が許可されない状態において投入された遊技媒体が内方側通路へ流下してしまうことが防止されるので、遊技媒体の投入を禁止する状態において投入された遊技者に返却されるべき遊技媒体が返却されないことで遊技者に不利益が生じてしまうことを防止できる。
【０００９】
尚、手段１及び手段２において遊技媒体の投入を許可する状態とは、例えば、ゲームを開始するのに必要な賭数を設定するための遊技媒体、遊技者所有の遊技媒体数として記憶されるクレジットを加算させるための遊技媒体の投入が許可される状態であり、１ゲームに対して設定可能な賭数が未だ設定されていない状態、１ゲームに対して設定可能な賭数が既に設定されているが、クレジットが上限に達していない状態などが該当する。
また、遊技媒体の投入を許可しない状態とは、ゲームが開始した後、次ゲームの賭数が設定可能となるまでの状態、ゲームの開始前であるが、既に１ゲームに対して設定可能な賭数が設定され、かつクレジットも上限に達している状態などが該当する。
また、前記切替部材は、前記投入通路の一部が形成される位置であり前記投入通路を流下する遊技媒体を前記内方側通路へ案内する第１の位置と、前記投入通路の一部が形成されない位置であり前記投入通路を流下する遊技媒体を前記返却側通路側へ落下させる第２の位置と、に移動可能な部材や、前記投入通路を流下する遊技媒体を前記内方側通路へ案内する第１の位置と、前記投入通路を流下する遊技媒体を前記内方側通路へ案内せず、該遊技媒体を傾かせて前記返却側通路へ落下させる第２の位置と、に移動可能な部材などが該当する。
【００１０】
手段３のスロットマシンは、手段１又は手段２のスロットマシンであって、
前記駆動手段（流路切替ソレノイド３０）による駆動が解除されている状態において、前記動作部材（圧縮バネ１５２、引っ張りバネ１６５）が取り外されても前記切替部材（流路切替板１５０）が自重により前記第２の位置（返却位置）へ移動する構造である
ことを特徴としている。
この特徴によれば、切替部材を第１の位置から第２の位置へ移動させる動作部材が取り外されても、駆動手段による駆動が解除されている状態では切替部材の自重により第２の位置に移動するので、動作部材が取り外された場合でも、遊技媒体の投入が許可されない状態において投入された遊技媒体が内方側通路へ流下してしまうことを防止できる。
【００１１】
手段４のスロットマシンは、手段１〜手段３のいずれかのスロットマシンであって、
前記遊技媒体（メダル）の投入を許可しない状態において前記切替部材（流路切替板１５０）が前記第２の位置（返却位置）に移動していないことを検知する検知手段（返却位置検出センサ）と、
前記遊技媒体（メダル）の投入を許可しない状態において前記切替部材（流路切替板１５０）が前記第２の位置（返却位置）に移動していないことが検知されたときに動作異常を報知する動作異常報知手段（メイン制御部４１）と、
を備える
ことを特徴としている。
この特徴によれば、遊技媒体の投入を許可しない状態において切替部材が第２の位置に移動していないことが検知されたときに動作異常が報知され、遊技媒体の投入が許可されない状態において投入された遊技媒体が内方側通路へ流下してしまうおそれがあることを認識させることができるので、遊技媒体の投入が許可されない状態において投入された遊技媒体が内方側通路へ流下してしまうことを事前に防止できる。
【００１２】
手段５のスロットマシンは、手段１〜４のいずれかのスロットマシンであって、
前記駆動手段（流路切替ソレノイド３０）による駆動が解除されている状態において、前記切替部材（流路切替板１５０）の前記第１の位置（流下位置）への移動が規制される構造である
ことを特徴としている。
この特徴によれば、駆動手段による駆動が解除されている状態では、切替部材が第１の位置に移動することが規制されるので、動作部材が取り外された場合でも、遊技媒体の投入が許可されない状態において投入された遊技媒体が内方側通路へ流下してしまうことを防止できる。
尚、前記切替部材の前記第１の位置への移動が規制される構造とは、例えば、切替部材にアクセスできないように被覆部材により被覆する構造、切替部材に痕跡を残さずにアクセスできない構造、切替部材が他の部材により隠れる位置となるように取り付けられることによりによりアクセスが困難となる構造、すなわち駆動手段による駆動が解除されている状態において切替部材を第１の位置へ留まらせる細工を行うことが防止されることで、切替部材の前記第１の位置への移動が規制される構造や、駆動手段による駆動が解除されている状態において切替部材の前記第１の位置への移動を阻止する阻止部材が設けられた構造などが該当する。
【００１３】
手段６のスロットマシンは、
各々が識別可能な複数種類の識別情報を変動表示可能な可変表示部（リール２Ｌ、２Ｃ、２Ｒ）を備え、遊技媒体を用いて所定数の賭数を設定し、前記可変表示部を変動表示した後、前記可変表示部の可変表示を停止することで表示結果を導出し、該表示結果に応じて入賞が発生可能なスロットマシン（スロットマシン１）において、
外部から投入された遊技媒体（メダル）が流下する投入通路（メダル流下通路１４６）と、
前記投入通路（メダル流下通路１４６）を流下する遊技媒体（メダル）を前記スロットマシンの内方（ホッパータンク３４ｂ）に導く内方側通路（メダルシュート２００）と、
前記投入通路（メダル流下通路１４６）の下方に設けられ、該投入通路（メダル流下通路１４６）から落下した遊技媒体（メダル）を外部に排出する返却口（メダル払出口９）に導く返却側通路（メダル返却通路１９１）と、
前記投入通路（メダル流下通路１４６）を流下する遊技媒体（メダル）を前記内方側通路（メダルシュート２００）へ流下させる第１の状態（流下位置）と、前記投入通路（メダル流下通路１４６）を流下する遊技媒体（メダル）を前記返却側通路（メダル返却通路１９１）側へ落下させる第２の状態（返却位置）と、に切替可能な切替手段（流路切替板１５０）と、
前記切替手段（流路切替板１５０）の周辺を被覆することで前記返却側通路（メダル返却通路１９１）外への遊技媒体（メダル）の落下を防止する落下防止部（後カバー部材１８０）と、
前記落下防止部（後カバー部材１８０）の取り外しを規制する規制手段（規制部材２９０ａ、２９０ｂ）と、
を備える
ことを特徴としている。
この特徴によれば、落下防止部により切替手段の周辺が被覆され、遊技媒体の落下が防止されるとともに、落下防止部の取り外しが規制され、落下防止部が取り外されることにより返却側通路側へ落下した遊技媒体が該返却側通路外に落下してしまうことが防止されるので、遊技媒体の投入を禁止する状態において投入された遊技者に返却されるべき遊技媒体が返却されないことで遊技者に不利益が生じてしまうことを防止できる。
尚、前記落下防止部の取り外しを規制する規制手段とは、例えば、落下防止部の取付箇所にアクセスできないように被覆する被覆部材、落下防止部を痕跡を残さずに取り外せないようにする構造などが該当する。
【００１４】
手段７のスロットマシンは、手段６のスロットマシンであって、
前記落下防止部（後カバー部材１８０）が取り外されたときに前記返却側通路（メダル返却通路１９１）側へ落下した遊技媒体（メダル）を前記返却口（メダル払出口９）に排出させない構造である
ことを特徴としている。
この特徴によれば、落下防止部により切替手段の周辺が被覆され、遊技媒体の落下が防止されるとともに、落下防止部が取り外されたときに返却側通路側へ落下した遊技媒体が返却口に排出されなくなるので、落下防止部が取り外されたことを容易に特定することが可能となり、落下防止部が取り外されることで返却側通路側へ落下した遊技媒体が該返却側通路外に落下してしまうことを防止できる。
尚、前記落下防止部が取り外されたときに前記返却側通路側へ落下した遊技媒体を前記返却口に排出させない構造とは、返却側通路に落下防止部が一体的に形成され、落下防止部を取り外すと返却側通路も取り外されることで、前記返却側通路側へ落下した遊技媒体が前記返却口に排出されなくなる構造、前記落下防止部が取り外されることに連動して返却口が塞がれることにより、前記返却側通路側へ落下した遊技媒体が前記返却口に排出されなくなる構造などが該当する。
【００１５】
手段８に記載のスロットマシンは、手段６または手段７のスロットマシンであって、
前記落下防止部（後カバー部材１８０）が取り外されたことを検知する検知手段（カバー検出センサ）と、
前記落下防止部（後カバー部材１８０）が取り外されたことが検知されたときに取り外し異常を報知する取り外し異常報知手段（メイン制御部４１）と、
を備える
ことを特徴としている。
この特徴によれば、落下防止部が取り外されたことが検知されたときに取り外し異常が報知されるので、落下防止部が取り外されたことを容易に特定することが可能となり、落下防止部が取り外されることで返却側通路側へ落下した遊技媒体が該返却側通路外に落下してしまうことを防止できる。
【図面の簡単な説明】
【００１６】
【図１】本発明が適用された実施例１のスロットマシンの正面図である。
【図２】スロットマシンの内部構造を示す斜視図である。
【図３】スロットマシンの構成を示すブロック図である。
【図４】（Ａ）は、遊技制御基板とスイッチ類の接続状況を示すブロック図であり、（Ｂ）は、コネクタ同士の接続の解除を規制する構造の一例を示す斜視図である。
【図５】（Ａ）はメダルセレクタを示す背面図、（Ｂ）は正面図である。
【図６】メダルセレクタ及びカバー部材を示す斜視図である。
【図７】メダルがホッパータンクに誘導される状態を示す説明図である。
【図８】メダルがメダル返却通路に誘導される状態を示す説明図である。
【図９】（Ａ）は図５（Ａ）のＡ−Ａ断面図、（Ｂ）は図９（Ａ）のＢ−Ｂ断面図、（Ｃ）は図９（Ａ）のＣ−Ｃ断面図である。
【図１０】（Ａ）はメダル通路部材を示す正面図、（Ｂ）は（Ａ）のＤ−Ｄ断面図である。
【図１１】メダル通路部材を示す背面図である。
【図１２】（Ａ）はメダル通路部材及び保護板を斜め後ろから見た状態を示す斜視図、（Ｂ）はメダル通路部材及び保護板を斜め前から見た状態を示す斜視図である。
【図１３】（Ａ）は規制部材を示す要部拡大断面図、（Ｂ）は（Ａ）のＥ−Ｅ断面図である。
【図１４】メダル通路部材が前面扉の背面に取り付けられた状態を示す一部破断背面図である。
【図１５】メダル通路部材が前面扉の背面に取り付けられた状態を示す一部破断側面図である。
【図１６】（Ａ）は変形例としてのメダルセレクタを示す背面図、（Ｂ）は正面図である。
【図１７】変形例としてのメダルセレクタ及びカバー部材を示す斜視図である。
【図１８】メダルがホッパータンクに誘導される状態を示す説明図である。
【図１９】メダルが返却通路に誘導される状態を示す説明図である。
【図２０】（Ａ）はメダルがホッパータンクに誘導される状態を示す平面図、（Ｂ）〜（Ｄ）はメダルが返却通路に誘導される状態を示す平面図である。
【発明を実施するための形態】
【００１７】
本発明に係るスロットマシンを実施するための形態を実施例に基づいて以下に説明する。
【実施例】
【００１８】
本発明が適用されたスロットマシンの実施例を図面を用いて説明すると、本実施例のスロットマシン１は、図２に示すように、前面が開口する筐体１ａと、この筐体１ａの側端に回動自在に枢支された前面扉１ｂと、から構成されている。
【００１９】
本実施例のスロットマシン１の筐体１ａの内部には、図２に示すように、外周に複数種の図柄が配列されたリール２Ｌ、２Ｃ、２Ｒ（以下、左リール、中リール、右リール）が水平方向に並設されており、図１に示すように、これらリール２Ｌ、２Ｃ、２Ｒに配列された図柄のうち連続する３つの図柄が前面扉１ｂに設けられた透視窓３から見えるように配置されている。
【００２０】
リール２Ｌ、２Ｃ、２Ｒの外周部には、特に図示しないが、それぞれ「黒７」、「網７（図中網掛け７）」、「白７」、「ＢＡＲ」、「リプレイ」、「プラム」、「スイカ」、「チェリー」、「ベル」、「オレンジ」等の互いに識別可能な複数種類の図柄が所定の順序で、それぞれ２１個ずつ描かれている。リール２Ｌ、２Ｃ、２Ｒの外周部に描かれた図柄は、前面扉１ｂに設けられた透視窓３において各々上中下三段に表示される。
【００２１】
各リール２Ｌ、２Ｃ、２Ｒは、各々対応して設けられリールモータ３２Ｌ、３２Ｃ、３２Ｒ（図３参照）によって回転させることで、各リール２Ｌ、２Ｃ、２Ｒの図柄が透視窓３に連続的に変化しつつ表示されるとともに、各リール２Ｌ、２Ｃ、２Ｒの回転を停止させることで、透視窓３に３つの連続する図柄が表示結果として導出表示されるようになっている。
【００２２】
リール２Ｌ、２Ｃ、２Ｒの内側には、リール２Ｌ、２Ｃ、２Ｒそれぞれに対して、基準位置を検出するリールセンサ３３Ｌ、３３Ｃ、３３Ｒと、リール２Ｌ、２Ｃ、２Ｒを背面から照射するリールＬＥＤ５５と、が設けられている。また、リールＬＥＤ５５は、リール２Ｌ、２Ｃ、２Ｒの連続する３つの図柄に対応する１２のＬＥＤからなり、各図柄をそれぞれ独立して照射可能とされている。
【００２３】
前面扉１ｂにおける各リール２Ｌ、２Ｃ、２Ｒに対応する位置には、リール２Ｌ、２Ｃ、２Ｒを前面側から透視可能とする横長長方形状の透視窓３が設けられており、該透視窓３を介して遊技者側から各リール２Ｌ、２Ｃ、２Ｒが視認できるようになっている。
【００２４】
前面扉１ｂには、図１に示すように、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数（本実施例ではいずれの遊技状態においても３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ、２Ｃ、２Ｒの回転を各々停止する際に操作されるストップスイッチ８Ｌ、８Ｃ、８Ｒ、演出に用いるための演出用スイッチ５６が遊技者により操作可能にそれぞれ設けられている。
【００２５】
尚、本実施例では、回転を開始した３つのリール２Ｌ、２Ｃ、２Ｒのうち、最初に停止するリールを第１停止リールと称し、また、その停止を第１停止と称する。同様に、２番目に停止するリールを第２停止リールと称し、また、その停止を第２停止と称し、３番目に停止するリールを第３停止リールと称し、また、その停止を第３停止あるいは最終停止と称する。
【００２６】
また、前面扉１ｂには、図１に示すように、クレジットとして記憶されているメダル枚数が表示されるクレジット表示器１１、入賞の発生により払い出されたメダル枚数やエラー発生時にその内容を示すエラーコード等が表示される遊技補助表示器１２、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられた遊技用表示部１３が設けられている。
【００２７】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図３参照）が設けられており、ストップスイッチ８Ｌ、８Ｃ、８Ｒの内部には、該当するストップスイッチ８Ｌ、８Ｃ、８Ｒによるリールの停止操作が有効である旨を点灯により報知する左、中、右停止有効ＬＥＤ２２Ｌ、２２Ｃ、２２Ｒ（図３参照）がそれぞれ設けられている。
【００２８】
また、前面扉１ｂにおけるストップスイッチ８Ｌ、８Ｃ、８Ｒの下方には、スロットマシン１のタイトルや後述する配当表１などが印刷された下部パネルが設けられている。
【００２９】
前面扉１ｂの背面には、図２に示すように、所定のキー操作により後述するエラー状態及び後述する打止状態を解除するためのリセット操作を検出するリセットスイッチ２３（図３参照）、後述する設定値の変更中や設定値の確認中にその時点の設定値が表示される設定値表示器２４、所定の契機で打止状態（リセット操作がなされるまでゲームの進行が規制される状態）に制御する打止機能の有効／無効を選択するための打止スイッチ３６ａ、所定の契機で自動精算処理（クレジットとして記憶されているメダルを遊技者の操作によらず精算（返却）する処理）に制御する自動精算機能の有効／無効を選択するための自動精算スイッチ３６ｂ、メダル投入部４から投入されたメダルの流路を、筐体１ａ内部に設けられた後述のホッパータンク３４ａ側またはメダル払出口９側のいずれか一方に選択的に切り替えるための流路切替ソレノイド３０（図３参照）、メダル投入部４から投入され、ホッパータンク３４ａ側に流下したメダルを検出する投入メダルセンサ３１ａ〜３１ｃ（図３、図５参照）を有するメダルセレクタ２９、前面扉１ｂの開放状態を検出するドア開放検出スイッチ２５（図３参照）が設けられている。
【００３０】
前面扉１ｂの背面におけるメダル投入部４の直下には、メダルセレクタ２９が取り外し自在に設けられている。前面扉１ｂを背面から見てメダルセレクタ２９の右側には、メダルセレクタ２９の側面から流出したメダルをホッパータンク３４ａに誘導するメダルシュート２００が取り付けられているとともに、メダルセレクタ２９の下方には、メダルセレクタ２９の背面下部から流出したメダルを下方のメダル払出口９に誘導するメダル返却通路１９１及びホッパーユニット３４から払い出されたメダルをメダル払出口９に誘導するメダル払出通路１９２を構成するメダル通路部材１９０が配設されている。
【００３１】
筐体１ａ内部には、図２に示すように、前述したリール２Ｌ、２Ｃ、２Ｒ、リールモータ３２Ｌ、３２Ｃ、３２Ｒ（図３参照）、各リール２Ｌ、２Ｃ、２Ｒのリール基準位置をそれぞれ検出可能なリールセンサ３３Ｌ、３３Ｃ、３３Ｒ（図３参照）からなるリールユニット２、外部出力信号を出力するための外部出力基板１０００（図３参照）、メダル投入部４から投入されたメダルを貯留するホッパータンク３４ａ、ホッパータンク３４ａに貯留されたメダルをメダル払出口９より払い出すためのホッパーモータ３４ｂ（図３参照）、ホッパーモータ３４ｂの駆動により払い出されたメダルを検出する払出センサ３４ｃ（図３参照）からなるホッパーユニット３４、電源ボックス１００が設けられている。
【００３２】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａ（図３参照）が設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３３】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８、電源をｏｎ／ｏｆｆする際に操作される電源スイッチ３９が設けられている。
【００３４】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬＮ（図１参照）が有効となり、スタートスイッチ７の操作が有効な状態、すなわち、ゲームが開始可能な状態となる。本実施例では、規定数の賭数として遊技状態に関わらず３枚が定められて規定数の賭数が設定されると入賞ラインＬＮが有効となる。尚、遊技状態に対応する規定数のうち最大数を超えてメダルが投入された場合には、その分はクレジットに加算される。
【００３５】
入賞ラインとは、各リール２Ｌ、２Ｃ、２Ｒの透視窓３に表示された図柄の組み合わせが入賞図柄の組み合わせであるかを判定するために設定されるラインである。本実施例では、図１に示すように、リール２Ｌの中段、リール２Ｃの中段、リール２Ｒの中段、すなわち中段に水平方向に並んだ図柄に跨って設定された入賞ラインＬＮのみが入賞ラインとして定められている。尚、本実施例では、１本の入賞ラインのみを適用しているが、複数の入賞ラインを適用しても良い。
【００３６】
ゲームが開始可能な状態でスタートスイッチ７を操作すると、各リール２Ｌ、２Ｃ、２Ｒが回転し、各リール２Ｌ、２Ｃ、２Ｒの図柄が連続的に変動する。この状態でいずれかのストップスイッチ８Ｌ、８Ｃ、８Ｒを操作すると、対応するリール２Ｌ、２Ｃ、２Ｒの回転が停止し、透視窓３に表示結果が導出表示される。
【００３７】
そして全てのリール２Ｌ、２Ｃ、２Ｒが停止されることで１ゲームが終了し、入賞ラインＬＮ上に予め定められた図柄の組み合わせ（以下、役とも呼ぶ）が各リール２Ｌ、２Ｃ、２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。また、入賞ラインＬＮ上に、遊技状態の移行を伴う図柄の組み合わせが各リール２Ｌ、２Ｃ、２Ｒの表示結果として停止した場合には図柄の組み合わせに応じた遊技状態に移行するようになっている。
【００３８】
尚、本実施例では、３つのリールを用いた構成を例示しているが、リールが１つのみ用いた構成、２つのリールを用いた構成、４つ以上のリールを用いた構成としても良く、２以上のリールを用いた構成においては、２以上の全てのリールに導出された表示結果の組み合わせに基づいて入賞を判定する構成とすれば良い。
【００３９】
図３は、スロットマシン１の構成を示すブロック図である。スロットマシン１には、図３に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４０】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４１】
また、電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４２】
遊技制御基板４０には、前述したＭＡＸＢＥＴスイッチ６、スタートスイッチ７、ストップスイッチ８Ｌ、８Ｃ、８Ｒ、精算スイッチ１０、リセットスイッチ２３、打止スイッチ３６ａ、自動精算スイッチ３６ｂ、投入メダルセンサ３１ａ〜３１ｃ、ドア開放検出スイッチ２５、リールセンサ３３Ｌ、３３Ｃ、３３Ｒが接続されているとともに、電源基板１０１を介して前述した払出センサ３４ｃ、満タンセンサ３５ａ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、遊技補助表示器１２、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ、２２Ｃ、２２Ｒ、設定値表示器２４、流路切替ソレノイド３０、リールモータ３２Ｌ、３２Ｃ、３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、遊技の制御を行うメイン制御部４１、メイン制御部４１の制御に用いるクロックを生成する制御用クロック生成回路４２、メイン制御部４１が搭載する乱数回路が乱数を生成する際に用いるクロックを生成する乱数用クロック生成回路４３、遊技制御基板４０に接続されるスイッチ類の検出を行うスイッチ検出回路４４、リールモータ３２Ｌ、３２Ｃ、３２Ｒを駆動させるモータ駆動回路４５、流路切替ソレノイド３０を駆動させるソレノイド駆動回路４６、ＬＥＤ類を駆動させるＬＥＤ駆動回路４７、遊技制御基板４０への供給電圧の低下を検知する電断検出回路４８、メイン制御部４１に対してリセット信号を与えるリセット回路４９が搭載されている。
【００４５】
メイン制御部４１は、１チップマイクロコンピュータにて構成され、ゲーム制御（遊技進行制御）用のプログラム等を記憶するＲＯＭ、ワークメモリとして使用されるＲＡＭ、プログラムに従って制御動作を行うＣＰＵが内蔵されており、遊技の進行に関する処理を行うととともに、遊技制御基板４０に搭載された制御回路の各部を直接的または間接的に制御する。
【００４６】
また、メイン制御部４１は、遊技の進行等に応じて演出制御基板９０に対して各種のコマンドを送信する。
【００４７】
演出制御基板９０には、スロットマシン１の前面扉１ｂに配置された液晶表示器５１（図１参照）、演出効果ＬＥＤ５２、スピーカ５３、５４、前述したリールＬＥＤ５５等の演出装置が接続されており、これら演出装置は、演出制御基板９０に搭載された後述のサブ制御部９１による制御に基づいて駆動されるようになっている。
【００４８】
演出制御基板９０には、メイン制御部４１と同様にＣＰＵ、ＲＯＭ、ＲＡＭ等を備えたマイクロコンピュータにて構成され、演出の制御を行うサブ制御部９１、演出制御基板９０に接続された液晶表示器５１の表示制御を行う表示制御回路９２、演出効果ＬＥＤ５２、リールＬＥＤ５５を駆動させるＬＥＤ駆動回路９３、スピーカ５３、５４からの音声出力制御を行う音声出力回路９４、サブ制御部９１対してリセット信号を与えるリセット回路９５、日付情報及び時刻情報を含む時間情報を出力する時計装置９７、演出制御基板９０への供給電圧の低下を検出する電断検出回路９８、その他の回路等、が搭載されており、サブ制御部９１は、メイン制御部４１から送信されるコマンドを受けて、演出を行うための各種の制御を行うとともに、演出制御基板９０に搭載された制御回路の各部を直接的または間接的に制御する。
【００４９】
本実施例においてメイン制御部４１は、メダルの投入を許可する状態と、メダルの投入を許可しない状態と、に制御する。詳しくは、ゲームの終了後、規定数の賭数が未だ設定されていない状態、規定数の賭数が設定された後、クレジットが上限値（５０枚）に到達していない状態においては、メダルの投入が許可され、ゲーム開始後、ゲーム終了までの状態、ゲーム開始前であっても、クレジットが上限値（５０枚）に到達後の状態、メダルを用いることなくゲームを行うことが可能な再遊技（リプレイゲーム）が付与される再遊技役が入賞したゲーム終了後、次ゲームが終了するまでの状態においては、メダルの投入が許可されないようになっている。
【００５０】
メイン制御部４１は、メダルの投入を許可しない状態において流路切替ソレノイド３０をｏｆｆ（駆動しない状態）に制御する。流路切替ソレノイド３０がｏｆｆの状態では、メダルセレクタ２９に設けられた流路切替板１５０が、メダル投入部４から投入されたメダルがメダルセレクタ２９の下方に設けられたメダル返却通路１９１内に落下する返却位置となり、メダルの投入を許可しない状態においてメダル投入部４からメダルが投入されると、投入されたメダルはメダル返却通路１９１内に落下し、メダル払出口９から返却されるようになっている。
【００５１】
また、メイン制御部４１は、メダルの投入を許可しない状態からメダルの投入を許可する状態に切り替わると流路切替ソレノイド３０をｏｎ（駆動した状態）に制御する。流路切替ソレノイド３０がｏｎの状態では、流路切替板１５０が、メダル投入部４から投入されたメダルが、投入メダルセンサ３１ａ〜ｃにて検出された後、メダルシュート２００に流出されるように案内する流下位置となり、メダルの投入を許可する状態においてメダル投入部４からメダルが投入されると、投入されたメダルは投入メダルセンサ３１ａ〜ｃにて検出された後、メダルシュート２００に流出し、ホッパータンク３４ａに誘導され、ホッパータンク３４ａに貯留されるようになっている。
【００５２】
また、メイン制御部４１は、メダルの投入を許可する状態からメダルの投入を許可しない状態に切り替わると再び流路切替ソレノイド３０をｏｆｆに制御し、これにより流路切替板１５０が、後述の圧縮バネ１５２により返却位置に戻るようになっており、メダル投入部４から投入されたメダルがメダル返却通路１９１内に落下し、メダル払出口９から返却される状態に戻るようになっている。
【００５３】
尚、メダルセレクタ２９の構造及び流路切替板１５０の動作については後に詳述する。
【００５４】
本実施例においてメイン制御部４１は、ゲームの終了後、次ゲームの開始前であり、１以上の賭数が設定されている状態（前のゲームにおいて再遊技役が入賞したことに伴って賭数が設定されている状態を除く）において精算スイッチ１０が操作されたときに、ホッパーモータ３４ｂを駆動して、メイン制御部４１のＲＡＭに設定されている賭数分のメダルを払い出してメダル払出口９から返却し、設定されている賭数をクリアする賭数の精算制御を行う。
【００５５】
また、メイン制御部４１は、ゲームの終了後、次ゲームの開始前であり、賭数が設定されておらず、かつクレジットが残存している状態において精算スイッチ１０が操作されたときに、ホッパーモータ３４ｂを駆動して、クレジットとしてメイン制御部４１のＲＡＭに記憶されているメダル数分のメダルを払い出してメダル払出口９から返却し、クレジットとして記憶されているメダル数をクリアするクレジットの精算制御を行う。
【００５６】
本実施例のスロットマシン１では、前述のように遊技の制御を行うメイン制御部４１が設けられた遊技制御基板４０などの各種基板が搭載されており、これらの基板には、図４（Ａ）に示すように、遊技者による遊技の進行操作が可能なスイッチ類等からなる電気部品がケーブルを介して接続されている。
【００５７】
遊技制御基板４０には、前述したように、ＭＡＸＢＥＴスイッチ６、スタートスイッチ７、ストップスイッチ８Ｌ、８Ｃ、８Ｒ、精算スイッチ１０、投入メダルセンサ３１ａ〜ｃが接続されている。
【００５８】
具体的には、図４（Ａ）に示すように、スタートスイッチ７及び精算スイッチ１０は遊技制御基板４０と配線接続され、ＭＡＸＢＥＴスイッチ６、ストップスイッチ８Ｌ、８Ｃ、８Ｒ、投入メダルセンサ３１ａ〜ｃは、操作部中継基板１１０を経由して遊技制御基板４０と配線接続されている。
【００５９】
操作部中継基板１１０には、遊技制御基板４０と各電気部品とを接続するための配線パターン（図示略）が設けられており、各電気部品から遊技制御基板４０に対して出力される検出信号または遊技制御基板４０から供給（入力）される電力や信号等を中継可能とされている。
【００６０】
このようにスタートスイッチ７及び精算スイッチ１０を除く各種電気部品と遊技制御基板４０とを、スロットマシン１の本体（本実施例では、筐体１ａ）所定箇所に取り付けた操作部中継基板１１０を経由して配線接続することで、遊技制御基板４０からスロットマシン１の本体所定箇所に個々に配設される複数の電気部品との配線の取りまとめが容易になるとともに、コネクタ接続部が常に中継基板または遊技制御基板４０に設けられることになり、これにより各電気部品それぞれのコネクタ接続部が固定されるため、配線接続作業時においてコネクタ接続部を探したり、接続する配線の種類を間違うこと等が防止される。
【００６１】
ＭＡＸＢＥＴスイッチ６、スタートスイッチ７、ストップスイッチ８Ｌ、８Ｃ、８Ｒ、精算スイッチ１０、投入メダルセンサ３１ａ〜ｃは、ゲームの進行に関わる信号を遊技制御基板４０に入力する遊技用電気部品である。
【００６２】
遊技用電気部品と基板とはケーブルを介して接続されており、遊技用電気部品と基板とを接続するケーブルは、スロットマシンの製造時における組み付け作業や配線作業を容易にするため、コネクタ同士の接続を解除することで分離可能とされている。
【００６３】
遊技用電気部品のうち精算スイッチ１０を遊技制御基板４０に直接配線接続するとともに、遊技制御基板４０と精算スイッチ１０との間のコネクタ接続、すなわち遊技制御基板４０の基板側コネクタ６２０ａとケーブル６００ａのケーブル側コネクタ６１０ａとの接続及び精算スイッチ１０の部品側コネクタ６４０ａとケーブル側コネクタ６３０ａとの接続について、コネクタ同士の接続の解除をコネクタ規制部材６５０ａ、６５０ｂによって規制されるようになっている。
【００６４】
基板側コネクタ６２０ａとケーブル６００ａのケーブル側コネクタ６１０ａとの接続の解除を規制するコネクタ規制部材６５０ａは、図４（Ｂ）に示すように、一面が開口する箱形状に形成され、基板側コネクタ６２０ａに接続されたケーブル側コネクタ６１０ａの上方から覆った状態でコネクタ規制部材６５０ａに設けられた係合部６５１を、遊技制御基板４０を収容する基板ケース６６０に設けられた係合筒６６１内に嵌合することで、該係合筒６６１内に設けられた弾性爪６６２がコネクタ規制部材６５０ａ側の係合部６５１に設けられた係合穴（図示略）に係合されて基板ケース６６０に取り付けられるようになっている。
【００６５】
コネクタ規制部材６５０ａの係合部６５１を係合筒６６１に嵌合することで、その内部で弾性爪６６２が係合穴（図示略）に係合され、これにより、基板ケース６６０を開封するか係合部６５１を破壊しない限りコネクタ規制部材６５０ａと基板ケース６６０との係合状態を解除することができなくなる。
【００６６】
精算スイッチ１０の部品側コネクタ６４０ａとケーブル６００ａのケーブル側コネクタ６３０ａとの解除を規制するコネクタ規制部材６５０ｂは、コネクタ規制部材６５０ｂと同様に一面が開口する箱形状に形成され、部品側コネクタ６４０ａに接続されたケーブル側コネクタ６３０ａの上方から覆った状態でコネクタ規制部材６５０ｂに設けられた係合部を、精算スイッチ１０に設けられた係合筒内に嵌合することで、該係合筒内に設けられた弾性爪がコネクタ規制部材６５０ｂ側の係合部に設けられた係合穴に係合されて精算スイッチ１０に取り付けられるようになっている。
【００６７】
コネクタ規制部材６５０ｂを係合筒に嵌合することで、その内部で弾性爪が係合穴に係合され、これにより、係合部を破壊しない限りコネクタ規制部材６５０ｂと精算スイッチ１０との係合状態を解除することができなくなる。
【００６８】
また、コネクタ規制部材６５０ｂが精算スイッチ１０に取り付けられると、精算スイッチ１０を前面扉１ｂの裏面から固定するためのネジ（図示略）がコネクタ規制部材６５０ｂにより被覆されるようになっており、係合部を破壊しない限り精算スイッチ１０を前面扉１ｂから取り外すこともできなくなる。
【００６９】
このため、遊技制御基板４０と精算スイッチ１０との間のコネクタ接続を解除したり、精算スイッチ１０を前面扉１ｂから取り外すためには、コネクタ規制部材６５０ａの係合部またはコネクタ規制部材６５０ｂの係合部を破壊しなければならず、これにより、遊技制御基板４０と精算スイッチ１０との間のコネクタ接続が解除されたり、精算スイッチ１０が前面扉１ｂから取り外されたりすると、その痕跡が残るようになっている。
【００７０】
また、図４（Ａ）に示すように、遊技用電気部品のうちスタートスイッチ７を遊技制御基板４０に直接配線接続するとともに、遊技制御基板４０とスタートスイッチ７との間のコネクタ接続、すなわち遊技制御基板４０の基板側コネクタ６２０ｂとケーブル６００ｂのケーブル側コネクタ６１０ｂとの接続及びスタートスイッチ７の部品側コネクタ６４０ｂとケーブル側コネクタ６３０ｂとの接続についても、コネクタ同士の接続の解除をコネクタ規制部材６５０ａ、コネクタ規制部材６５０ｂと同様に構成された６５０ｃによって規制されるようになっており、遊技制御基板４０とスタートスイッチ７との間のコネクタ接続を解除するためには、コネクタ規制部材６５０ａの係合部またはコネクタ規制部材６５０ｃの係合部を破壊しなければならず、これにより、遊技制御基板４０とスタートスイッチ７との間のコネクタ接続が解除されると、その痕跡が残るようになっている。
【００７１】
この際、基板側コネクタ６２０ｂとケーブル６００ｂのケーブル側コネクタ６１０ｂとの接続の解除が、コネクタ規制部材６５０ａによって基板側コネクタ６２０ａとケーブル６００ａのケーブル側コネクタ６１０ａとの接続の解除とともに規制されるようになっている。すなわち１つのコネクタ規制部材６５０ａにより、精算スイッチ１０に接続されるケーブル６００ａのケーブル側コネクタ６１０ａと基板側コネクタ６２０ａとの接続の解除、スタートスイッチ７に接続されるケーブル６００ｂのケーブル側コネクタ６１０ｂと基板側コネクタ６２０ｂとの接続の解除が同時に規制されるようになっている。
【００７２】
本実施例では、精算スイッチ１０を操作することで、賭数の設定に使用され、未だゲームに使用されていないメダルを返却する賭数の精算や、クレジットとして記憶されているメダルを返却するクレジットの精算を行うことが可能とされている。
【００７３】
一方、精算スイッチ１０は、ケーブル６００ａを介して遊技制御基板４０に接続されるが、精算スイッチ１０と遊技制御基板４０との配線の接続不良や、遊技店による不正により敢えて精算スイッチ１０と遊技制御基板４０との配線を外すことや精算スイッチ自体を取り外すこと（これにより遊技者はクレジットを精算することができず、遊技への使用が強いられることとなる）により、精算スイッチ１０を操作しても賭数の精算やクレジットの精算ができなくなってしまうこと、そもそも精算スイッチ１０の操作することができなくなってしまうことがあり、このような場合には、本来は遊技者所有のメダルが返却されなくなることから遊技者に不利益が生じてしまうこととなる。
【００７４】
これに対して本実施例では、遊技制御基板４０と精算スイッチ１０との間のコネクタ接続について、コネクタ同士の接続の解除をコネクタ規制部材６５０ａ、６５０ｂによって規制され、遊技制御基板４０と精算スイッチ１０との間の配線が外れたり、故意に外したりすることが防止されるので、本来は遊技者所有のメダルが返却されなくなることから遊技者に不利益が生じてしまうこと防止できる。
【００７５】
また、精算スイッチ１０の前面扉１ｂからの取り外しがコネクタ規制部材６５０ｂによって規制され、精算スイッチ１０を故意に取り外すことが防止されるので、本来は遊技者所有のメダルが返却されなくなることから遊技者に不利益が生じてしまうこと防止できる。
【００７６】
また、本実施例では、遊技制御基板４０と精算スイッチ１０との間のコネクタ接続を解除するためには、コネクタ規制部材６５０ａの係合部またはコネクタ規制部材６５０ｂの係合部を破壊しなければならず、これにより、遊技制御基板４０と精算スイッチ１０との間のコネクタ接続が解除されると、その痕跡が残るようになっているので、故意に遊技制御基板４０と精算スイッチ１０との間のコネクタ接続が解除されることを効果的に防止することができる。
【００７７】
また、本実施例では、精算スイッチ１０を前面扉１ｂから取り外すためには、コネクタ規制部材６５０ｂの係合部を破壊しなければならず、これにより、精算スイッチ１０が取り外されると、その痕跡が残るようになっているので、精算スイッチ１０を故意に取り外すことを効果的に防止することができる。
【００７８】
尚、本実施例では、係合部を破壊しなければコネクタ接続を解除することができないコネクタ規制部材６５０ａ、６５０ｂを用いることにより、遊技制御基板４０と精算スイッチ１０との間のコネクタ接続が解除された場合に、その痕跡が残る構成であるが、接続の解除に関連する痕跡が残る構成であれば、他の方法を用いて遊技制御基板４０と精算スイッチ１０との間のコネクタ接続が解除されることを規制する構成としても良く、このような構成であっても、故意に遊技制御基板４０と精算スイッチ１０との間のコネクタ接続が解除されることを効果的に防止することができる。
【００７９】
また、本実施例では、係合部を破壊しなければ精算スイッチ１０を取り外すことができないコネクタ規制部材６５０ｂを用いることにより、精算スイッチ１０を取り外した場合に、その痕跡が残る構成であるが、精算スイッチ１０の取り外しに関連する痕跡が残る構成であれば、他の方法を用いて精算スイッチ１０の取り外しを規制する構成としても良く、このような構成であっても、精算スイッチ１０を故意に取り外すことを効果的に防止することができる。
【００８０】
また、本実施例では、遊技用電気部品のうち精算スイッチ１０及びスタートスイッチ７を遊技制御基板４０に直接配線接続するとともに、１つのコネクタ規制部材６５０ａにより、精算スイッチ１０に接続されるケーブル６００ａのケーブル側コネクタ６１０ａと基板側コネクタ６２０ａとの接続の解除、スタートスイッチ７に接続されるケーブル６００ｂのケーブル側コネクタ６１０ｂと基板側コネクタ６２０ｂとの接続の解除が同時に規制されるようになっている。
【００８１】
遊技制御基板４０とスタートスイッチ７との間のコネクタ接続について、コネクタ同士の接続の解除を規制するのは、打込器具などの不正機器を接続することを防止することを目的としており、遊技制御基板４０とスタートスイッチ７との間のコネクタ接続全ての解除を規制する必要があり、ＭＡＸＢＥＴスイッチ６、スタートスイッチ７、ストップスイッチ８Ｌ、８Ｃ、８Ｒ、投入メダルセンサ３１ａ〜ｃと同様に操作部中継基板１１０を介して接続すると、コネクタ接続箇所が多くなりコネクタカバーなどの規制部材をその分多く必要となるが、スタートスイッチ７を遊技制御基板４０に直接配線接続することで規制部材が２箇所で済むこととなる。
【００８２】
一方、遊技制御基板４０と精算スイッチ１０との間のコネクタ接続について、コネクタ同士の接続の解除を規制するのは、精算スイッチ１０だけが外れるのを防止することを目的としており、ＭＡＸＢＥＴスイッチ６、スタートスイッチ７、ストップスイッチ８Ｌ、８Ｃ、８Ｒ、投入メダルセンサ３１ａ〜ｃと同様に操作部中継基板１１０を介して接続した場合でも、操作部中継基板１１０と遊技制御基板４０との接続を解除した場合、精算スイッチ１０だけ外すことは不可能であり、遊技自体行えなくなってしまうことから、精算スイッチ１０と操作部中継基板１１０との間のコネクタ接続についてのみコネクタ同士の接続の解除を規制することで足り、この場合も規制部材は２箇所で済むこととなる。
【００８３】
スタートスイッチ７が遊技制御基板４０に直接接続され、精算スイッチ１０が操作部中継基板１１０を介して遊技制御基板４０と接続される構成とした場合には、それぞれ２箇所ずつ計４箇所の規制部材が必要となるが、本実施例では、精算スイッチ１０及びスタートスイッチ７を遊技制御基板４０に直接配線接続することで、１つの規制部材にて精算スイッチ１０に接続されるケーブル６００ａのケーブル側コネクタ６１０ａと基板側コネクタ６２０ａとの接続の解除、スタートスイッチ７に接続されるケーブル６００ｂのケーブル側コネクタ６１０ｂと基板側コネクタ６２０ｂとの接続の解除を同時に規制することが可能となり、規制部材の数を削減することができる。
【００８４】
尚、本実施例では、精算スイッチ１０を遊技制御基板４０に直接配線接続する構成であるが、精算スイッチ１０を操作部中継基板１１０を介して遊技制御基板４０に接続する構成としても良く、このような構成とした場合には、少なくとも精算スイッチ１０と操作部中継基板１１０との間のコネクタ接続についてのみコネクタ同士の接続の解除を規制することで、遊技制御基板４０と精算スイッチ１０との間のコネクタ接続が解除されることを防止することができる。
【００８５】
尚、本実施例では、遊技制御基板４０と精算スイッチ１０との間のコネクタ接続について、コネクタ同士の接続の解除をコネクタ規制部材６５０ａ、６５０ｂによって規制され、遊技制御基板４０と精算スイッチ１０との間の配線が外れたり、故意に外したりすることが防止される構成であるが、例えば、精算スイッチ１０の部品側コネクタ６４０ａとケーブル６００ａのケーブル側コネクタ６３０ａとの接続箇所が他の部材（例えば、操作部中継基板１１０等）により隠れる位置となるように配置し、ケーブル６００ａのケーブル側コネクタ６１０ａと基板側コネクタ６２０ａとの接続箇所が他の部材（例えば、基板ケース６６０）により隠れる位置となるように配置することにより、接続の解除が困難となる構成としても良く、このような構成とした場合でも、遊技制御基板４０と精算スイッチ１０との間のコネクタ接続が故意に解除されることを防止することができる。
【００８６】
また、遊技制御基板４０と精算スイッチ１０との間のコネクタ接続の解除を物理的に規制する構成に限らず、遊技制御基板４０と精算スイッチ１０との接続が解除された旨を検知する解除検知センサ（例えば、遊技制御基板４０からケーブル６００ａ、精算スイッチ１０、ケーブル６００ａを経由する配線を設け、この配線の導通が途切れることをメイン制御部４１にて検出する手段等）を設け、解除検知センサにより遊技制御基板４０と精算スイッチ１０との接続が解除された旨が検知された場合に、メイン制御部４１やサブ制御部９１の制御によりその旨を報知する構成としても良く、このような構成とした場合でも、遊技制御基板４０と精算スイッチ１０との間のコネクタ接続が故意に解除されることを防止することができる。また、この構成においては、接続が解除された旨の報知だけでなく、遊技の制御が不能化されるエラー状態に制御されることが好ましく、これにより遊技制御基板４０と精算スイッチ１０との間のコネクタ接続が故意に解除されることをより効果的に防止することができる。
【００８７】
また、本実施例では、精算スイッチ１０の前面扉１ｂからの取り外しがコネクタ規制部材６５０ｂによって規制され、精算スイッチ１０を故意に取り外すことが防止される構成であるが、例えば、精算スイッチ１０の取付箇所が他の部材（例えば、操作部中継基板１１０等）により隠れる位置となるように配置することにより、精算スイッチ１０の前面扉１ｂからの取り外しが困難となる構成としても良く、このような構成とした場合でも、精算スイッチ１０を故意に取り外すことを防止することができる。
【００８８】
また、精算スイッチ１０の前面扉１ｂからの取り外しを物理的に規制する構成に限らず、精算スイッチ１０が取り外された旨を検知する取り外し検知センサ（例えば、遊技制御基板４０からケーブル６００ａ、精算スイッチ１０、ケーブル６００ａを経由する配線を設け、この配線の導通が途切れることをメイン制御部４１にて検出する手段等）を設け、取り外し検知センサにより精算スイッチ１０が取り外された旨が検知された場合に、メイン制御部４１やサブ制御部９１の制御によりその旨を報知する構成としても良く、このような構成とした場合でも、精算スイッチ１０を故意に取り外すことを防止することができる。また、この構成においては、精算スイッチ１０が取り外された旨の報知だけでなく、遊技の制御が不能化されるエラー状態に制御されることが好ましく、これにより精算スイッチ１０を故意に取り外すことをより効果的に防止することができる。
【００８９】
次に、メダルセレクタ２９について、図５〜図９に基づいて説明する。図５は、（Ａ）はメダルセレクタを示す背面図、（Ｂ）は正面図である。図６は、メダルセレクタ及びカバー部材を示す斜視図である。図７は、メダルがホッパータンクに誘導される状態を示す説明図である。図８は、メダルがメダル返却通路に誘導される状態を示す説明図である。図９は、（Ａ）は図５（Ａ）のＡ−Ａ断面図、（Ｂ）は図９（Ａ）のＢ−Ｂ断面図、（Ｃ）は図９（Ａ）のＣ−Ｃ断面図である。尚、以下においては、スロットマシンを正面から見たときの上下左右方向を基準として各部を説明する。
【００９０】
図５〜図８に示すように、メダル判別装置としてのメダルセレクタ２９は、背面視略正方形状をなす前通路板１４１と、前通路板１４１の上辺に形成される上板１４２と、前通路板１４１の左右側辺に形成される左右の側板１４３ａ、１４３ｂと、により主に本体が構成されている。前通路板１４１の前面側には、前通路板１４１に取り付けられた揺動軸１４４を中心として揺動可能に設けられた後通路板１４５が、前通路板１４１の背面に対し所定の隙間（メダルＭの板厚寸法よりも大きな隙間）を隔てて配置されており（図７参照）、これら前通路板１４１と後通路板１４５との間に、メダルＭが流下可能なメダル流下通路１４６が形成されている（図５（Ａ）中斜線領域）。
【００９１】
メダル流下通路１４６は、上下方向を向く垂直通路部１４６ａと該垂直通路部１４６ａの下端から右側に向けて下方に傾斜する傾斜通路部１４６ｂとにより正面視略Ｌ字状に形成され、上板１４２における垂直通路部１４６ａの上流側端部に対応する位置にはメダル流入口１４７が形成されているとともに、右側の側板１４３ｂにおける傾斜通路部１４６ｂの下流側端部に対応する位置にはメダル流出口１４８が形成されている。
【００９２】
前通路板１４１の背面側における傾斜通路部１４６ｂの下方位置には、メダル流下通路１４６を流下するメダルの流路を、メダルシュート２００またはメダル返却通路１９１に切り替えるための流路切替板１５０が、前通路板１４１に該前通路板１４１の背面に沿うように上下方向の略中央位置に設けられた揺動軸１５１を中心として揺動可能に設けられている。流路切替板１５０の上端面は、傾斜通路部１４６ｂの下辺に沿うように配置され、傾斜通路部１４６ｂを流下するメダルＭが流下する流下底面１５０ａを形成している。
【００９３】
流路切替板１５０は、図７に示すように、流下底面１５０ａが前通路板１４１と後通路板１４５との間に配置されて傾斜通路部１４６ｂの底面を構成し、メダル流下通路１４６を流下するメダルＭをメダルシュート２００へ流下させる流下位置と、図８に示すように、流下底面１５０ａが前通路板１４１と後通路板１４５との間から前面側に退避して、メダル流下通路１４６を通路を流下するメダルＭを落下させてメダル返却通路１９１へ流下させる返却位置と、の間で揺動可能とされている。
【００９４】
流路切替板１５０の前面下部と前通路板１４１との間には、圧縮バネ１５２が設けられており、常に流路切替板１５０の前面下部を後側に向けて付勢している。つまり、流路切替板１５０を図８に示す返却位置に維持するように付勢している。また、流路切替板１５０の前面上部には当接部１５３が突設され、前通路板１４１に形成された貫通孔１５４に挿入されており、流路切替板１５０が返却位置にあるときにおいて貫通孔１５４を介して前通路板１４１の前面側に突出するようになっている。
【００９５】
前通路板１４１の背面における流路切替板１５０の直上位置には収容凹部１５５が形成されており、メダルＭが前面側に傾倒可能としている。また、この収容凹部１５５の上辺部には、メダルＭの背面上端縁をガイドするガイド板１５６が設けられており、このガイド板１５６の下辺と流下位置にある流路切替板１５０の流下底面１５０ａとの離間距離Ｌ１は、メダルＭの直径よりも若干短寸とされている。よって、流路切替板１５０が流下位置にあるときには、傾斜通路部１４６ｂを流下するメダルＭは、底面が流下底面１５０ａに支持され、表裏面上部がガイド板１５６と後通路板１４５とにより挟持されることで、略起立姿勢に維持される。一方、流路切替板１５０が返却位置にあるときには、流下底面１５０ａが背面側に退避することによりメダルＭが下方に落下し、これにより該メダルＭの上端がガイド板１５６から下方に離れ、メダルＭの上部は後通路板１４５のみしか支持されなくなって不安定な状態となるため、収容凹部１５５側に傾倒しやすくなる（図８参照）。
【００９６】
また、前通路板１４１における傾斜通路部１４６ｂの下流側端部には、メダルシュート２００に導かれるメダルＭを検出する投入メダルセンサ３１ａ〜３１ｃが配設されている。投入メダルセンサ３１ａ、３１ｂは傾斜通路部１４６ｂの上部に並設され、投入メダルセンサ３１ｃは傾斜通路部１４６ｂの下部に配設されている。尚、投入メダルセンサ３１ｃは、傾斜通路部１４６ｂに対し出退可能に設けられた検出片３１ｄを介してメダルＭを検出する。
【００９７】
前通路板１４１の前面には、流路切替ソレノイド３０が取り付けられている。また、流路切替ソレノイド３０の上方位置には、背面側に向けて支持板１６０が突設されており、この支持板１６０の先端には、側面視略Ｌ字形の金属板からなる作動板１６１の上端が吊支され、前後方向に揺動可能に支持されている。作動板１６１の先端には、流路切替板１５０の当接部１５３に当接可能な当接片１６２が形成されている。また、上端には突出片１６３が形成されており、この突出片１６３には、支持板１６０に形成された突出片１６４に後端が取り付けられた引っ張りバネ１６５の前端が取り付けられている。
【００９８】
作動板１６１は、図８に示すように、流路切替ソレノイド３０が非励磁状態であるときに、引っ張りバネ１６５により上端が後側に付勢されることにより、流路切替ソレノイド３０の磁石部から離間され当接片１６２が前面側に退避する非励磁位置と、図７に示すように、流路切替ソレノイド３０が励磁状態であるときに、引っ張りバネ１６５による付勢力に抗して流路切替ソレノイド３０の磁石部に吸着されて当接片１６２が前通路板１４１に当接する励磁位置と、の間で揺動可能とされている。そして、作動板１６１が非励磁位置にあるときには、当接片１６２が当接部１５３から離れるまたは当接しても後側に押圧しないため、流路切替板１５０は圧縮バネ１５２により返却位置に維持され、作動板１６１が励磁位置にあるときには、当接片１６２が当接部１５３に当接して圧縮バネ１５２の付勢力に抗して後側に押圧するため、流路切替板１５０は流下位置に維持されるようになっている。
【００９９】
尚、作動板１６１が非励磁位置にあるときには、流路切替板１５０は圧縮バネ１５２が取り外された状態において、当接部１５３側の重みによって返却位置に倒れる重心となるように、揺動軸１５１が設けられており、仮に圧縮バネ１５２が取り外された状態であっても、流路切替板１５０が返却位置に維持され、流路切替ソレノイド３０が励磁状態から非励磁状態となり、作動板１６１が非励磁位置に退避すると、流路切替板１５０が自重により流下位置から返却位置に移動するようになっている。
【０１００】
また、引っ張りバネ１６５が取り外されると、流路切替ソレノイド３０が非励磁状態であっても作動板１６１を非励磁位置へ移動させる付勢力が働かなくなるが、圧縮バネ１５２が取り外されていなければ、圧縮バネ１５２の付勢力により流路切替板１５０が返却位置に移動し、それに押し出されて作動板１６１も非励磁位置へ移動するようになっている。また、引っ張りバネ１６５及び圧縮バネ１５２の双方が取り外された場合であっても、流路切替板１５０が自重により作動板１６１を押し出し、流下位置から返却位置へ移動するようになっている。
【０１０１】
また、左右の側板１４３ａ、１４３ｂには、ネジ孔１７１ａ〜１７１ｄが形成された取付片１７０ａ〜１７０ｄが突設されているとともに、これら取付片１７０ａ〜１７０ｄの近傍位置には、ネジ孔１７２ａ〜１７２ｄが形成されている。
【０１０２】
このように構成されたメダルセレクタ２９は、流路切替ソレノイド３０が励磁状態であるときには、作動板１６１が励磁位置、流路切替板１５０が流下位置にあることで、メダル投入部４に投入され流入口１４７からメダル流下通路１４６に流入したメダルＭは、該メダル流下通路１４６の垂直通路部１４６ａを通過した後、流下底面１５０ａ上を流下して傾斜通路部１４６ｂを流下した後、メダル流出口１４８から流出してメダルシュート２００に流入してホッパータンク３４ａに誘導される。
【０１０３】
また、流路切替ソレノイド３０が非励磁状態であるときには、作動板１６１が非励磁位置、流路切替板１５０が返却位置にあることで、メダル投入部４に投入され流入口１４７からメダル流下通路１４６に流入したメダルＭは、該メダル流下通路１４６の垂直通路部１４６ａを通過した後、流下底面１５０ａが退避して存在しないことで傾斜通路部１４６ｂの上流部にて下方に落下し、メダル返却通路１９１に誘導される。
【０１０４】
つまり、メダル投入部４から投入され、投入通路としての垂直通路部１４６ａを流下したメダルＭは、流路切替ソレノイド３０が励磁状態であるときには、本発明の内方側通路を構成する傾斜通路部１４６ｂ及びメダルシュート２００を流下してスロットマシンの内方であるホッパータンク３４ａに導かれ、流路切替ソレノイド３０が非励磁状態であるときには、メダル流下通路１４６から下方に分岐して、本発明の外方側通路を構成する返却通路１９１を介して外部に排出する返却口としてのメダル払出口９に導かれるようになっている。
【０１０５】
また、メダルセレクタ２９の後側下部には、後カバー部材１８０が取り付けられるとともに、メダルセレクタ２９の前側上部位置には、前カバー部材１８１が取り付けられる。後カバー部材１８０は、主に流路切替板１５０の後面及び下面の一部と、圧縮バネ１５２を後下側から被覆可能に形成され、左右には、取付孔１８３ａ、１８３ｂが形成された取付片１８２ａ、１８２ｂが突設されている。また、流路切替板１５０の下方に対応する位置には、メダルＭを落下させるための開口１８４が形成されている。前カバー部材１８１は、主に流路切替ソレノイド３０の前面及び引っ張りバネ１６５を前側から被覆可能に形成され、左右には、取付孔１８３ｃ、１８３ｄが形成された取付片１８２ｃ、１８２ｄが突設されている。
【０１０６】
後カバー部材１８０及び前カバー部材１８１は、それぞれの取付孔１８３ａ〜１８３ｄに取り付けたネジ１８４ａ〜１８４ｄを対応するネジ孔１７１ａ〜１７１ｄに螺入することで、メダルセレクタ２９に取り付けられる。ネジ１８４ａ〜１８４ｄにより締結された取付片１７０ａ〜１７０ｄと取付片１８２ａ、１８２ｂ及びネジ１８４ａ〜１８４ｄは、取り外しを規制するための規制部材２９０ａ〜２９０ｄにより被覆されるようになっている。
【０１０７】
規制部材２９０ａ〜２９０ｄは、図９に示すように、取付片１７０ａ〜１７０ｄ及び取付片１８２ａ、１８２ｂを被覆可能な大きさを有する一面が開口する箱状に形成された被覆部２９１と、被覆部２９１に対し連結片２９２を介して連結され、取付孔２９４を有する有底円筒状をなす取付部２９３と、から構成されている。
【０１０８】
このように構成された規制部材２９０ａ〜２９０ｄは、被覆部２９１により各取付片１７０ａ〜１７０ｄ、取付片１８２ａ、１８２ｂ及びネジ１８４ａ〜１８４ｄを被覆した状態で、各取付孔２９４に、締め付け方向にしかネジを回すことができない従来公知のワンウェイネジ２９５ａ〜２９５ｄを取り付け、ネジ孔１７２ａ〜１７２ｄに螺入することで、側板１４３ａ、１４３ｂに取り外し不能に取り付けられる。これにより、各取付片１７０ａ〜１７０ｄ、取付片１８２ａ、１８２ｂ及びネジ１８４ａ〜１８４ｄが被覆部２９１により被覆されるので、規制部材２９０ａ〜２９０ｄを取り外さない限りネジ１８４ａ〜１８４ｄにアクセスして後カバー部材１８０、前カバー部材１８１を取り外すことが困難となる。
【０１０９】
また、側板１４３ａ、１４３ｂから規制部材２９０ａ〜２９０ｄを取り外すには、ワンウェイネジ２９５ａ〜２９５ｄを取り外すことができないため、連結片２９２を切断して取付部２９３を被覆部２９１から切り離す、あるいは取付部２９３や被覆部２９１を破壊する必要がある。よって、側板１４３ａ、１４３ｂから規制部材２９０ａ〜２９０ｄが取り外されたときには、切断や破壊により側板１４３ａ、１４３ｂから規制部材２９０ａ〜２９０ｄを取り外された痕跡、すなわち後カバー部材１８０、前カバー部材１８１が取り外された痕跡が残るようになっている。
【０１１０】
次に、メダル通路部材１９０について、図１０〜図１５に基づいて説明する。図１０は、（Ａ）はメダル通路部材を示す正面図、（Ｂ）は（Ａ）のＤ−Ｄ断面図である。図１１は、メダル通路部材を示す背面図である。図１２は、（Ａ）はメダル通路部材及び保護板を斜め後ろから見た状態を示す斜視図、（Ｂ）はメダル通路部材及び保護板を斜め前から見た状態を示す斜視図である。図１３は、（Ａ）は規制部材を示す要部拡大断面図、（Ｂ）は（Ａ）のＥ−Ｅ断面図である。図１４は、メダル通路部材が前面扉の背面に取り付けられた状態を示す一部破断背面図である。図１５は、メダル通路部材が前面扉の背面に取り付けられた状態を示す一部破断側面図である。
【０１１１】
図１０〜図１２に示すように、メダル通路部材１９０は、合成樹脂材により前方に向けて開口する背面視で略Ｙ字形をなす箱状に形成されてなる。メダル通路部材１９０は、前面扉１ｂの背面におけるメダルセレクタ２９の下方位置に複数のネジ１９０ｎ（図１３参照）により取り付けられることで、メダル通路部材１９０の左側に、該メダル通路部材１９０と前面扉１ｂの背面とによってメダル返却通路１９１が構成される。具体的には、メダル通路部材１９０の縁辺における複数個所に形成された取付片２５０ａ〜２５０ｃに形成された取付孔２５１ａ〜２５１ｃ及び取付孔２５１ｄに取り付けたネジ１９０ｎを前面扉１ｂの背面に形成されたネジ孔２５２（図１３（Ｂ）参照）に螺入することで、前面扉１ｂに取り付けられる。また、このメダル返却通路１９１の上端部には、メダル通路部材１９０と前面扉１ｂの背面によってメダルセレクタ２９の背面下部から流出したメダルが通過可能な上端開口１９０ａが形成されている。
【０１１２】
一方、メダル通路部材１９０の左部には、メダルセレクタ２９の下方において前面扉１ｂの背面に複数のネジ１９０ｎにより取り付けられることで、該メダル通路部材１９０と前面扉１ｂの背面とによってホッパーユニット３４から払い出されたメダルをメダル払出口９に誘導するメダル払出通路１９２が構成される。
【０１１３】
また、メダル通路部材１９０の下部は、メダル返却通路１９１とメダル払出通路１９２とが合流する構造となっており、該メダル通路部材１９０の下部には、正面視略Ｙ字形状の金属板である保護板３８０が、複数のワンウェイネジ３８０ａ〜３８０ｃにより前方から取り付けられる。このように、メダル通路部材１９０の下部は、保護板３８０が前方から取り付けられることで、メダル返却通路１９１とメダル払出通路１９２が合流する合流路１９５を構成する。このように合流路１９５を流下するメダルＭが前面扉１ｂの背面に衝突することにより前面扉１ｂが破損しないように保護板３８０により保護されている。
【０１１４】
また、保護板３８０は複数のワンウェイネジ３８０ａ〜３８０ｃによりメダル通路部材１９０の下部に取り付けられることで、メダル通路部材１９０が前面扉１ｂから取り外されたとしても、メダル払出通路１９２及びメダル返却通路１９１の下部に容易にアクセスすることができないようになっている。つまり、メダル払出通路１９２及びメダル返却通路１９１の下部にアクセスするには保護板３８０を取り外さなければならないが、ワンウェイネジ３８０ａ〜３８０ｃにより取り付けられていることで、例えば、保護板３８０の取付部を切断するなどしない限り該保護板３８０を取り外すことができないため、メダル払出通路１９２及びメダル返却通路１９１の下部にアクセスすることが困難とされている。また、仮に保護板３８０が取り外されたときには、切断などによりその痕跡が残るようになっている。
【０１１５】
尚、保護板３８０の下部には、前方に向けて開口する開口部３８１が貫通形成されている。この開口部３８１は、メダル通路部材１９０に保護板３８０が取り付けられた状態で前面扉１ｂの背面に取り付けられたときにメダル払出口９に連通するようになっている。このため、メダル返却通路１９１またはメダル払出通路１９２を流下してくるメダルＭは、いずれにおいても合流路１９５から開口部３８１を通過してメダル払出口９に誘導されるようになっている。
【０１１６】
メダル返却通路１９１内の上部には、メダル通路部材１９０に一体形成された第１抑制板部１９１ａ及び第２抑制板部１９１ｂが配設されている。このうち、第１抑制板部１９１ａは、メダル返却通路１９１内の上部におけるメダル通路部材１９０の右内壁から左下方に向けて傾斜している。一方、第２抑制板部１９１ｂは、メダル返却通路１９１内の上部におけるメダル通路部材１９０の左内壁から右下方に向けて傾斜している。
【０１１７】
また、図１２（Ａ）（Ｂ）に示すように、メダル通路部材１９０の右上端部には、蓋体３８２が取り付けられている。この蓋体３８２は、上端開口１９０ａの平面視の形状と略同一形状に形成されているとともに、前端部には、前方に向けて開口し、メダルセレクタ２９の後カバー部材１８０を収容可能な凹部３８２ａが形成されている。また、蓋体３８２の左右両端部には、メダル通路部材１９０の右上端部の左右外周面に形成された被係止突部１９０ｂに係止するための係止部３８２ｂが下方に向けて突出形成されている。蓋体３８２は、メダル通路部材１９０の右上端部に対して上方から配置されることでこれら係止部３８２ｂを被係止突部１９０ｂに対して係止され、上端開口１９０ａの後半部を被覆するようにメダル通路部材１９０に取り付けられる。
【０１１８】
メダルセレクタ２９の背面下部から落下したメダルＭは、第１抑制板部１９１ａ、第２抑制板部１９１ｂのうち少なくともいずれかに落下することで流下速度が減衰されてからメダル返却通路１９１から合流路１９５を経てメダル払出口９に誘導されるようになっているため、メダルセレクタ２９から流出したメダルＭがメダル通路部材１９０に衝突することによりメダル通路部材１９０が破損してしまうことが防止されている。
【０１１９】
メダル通路部材１９０におけるメダル払出通路１９２の背面からは、後方に向けて接続部１９６が突出形成されている。この接続部１９６は、メダル通路部材１９０が前面扉１ｂの背面に取り付けられた状態で前面扉１ｂを閉塞したときに、ホッパーユニット３４の排出口３４ｄ（図２、図１５参照）に接続されるようになっている。このため、ホッパーユニット３４の排出口３４ｄから払い出されるメダルＭは、連通口１９６ｂを通過することで、メダル払出通路１９２及び合流路１９５を流下し、メダル払出口９に誘導されるようになっている。また、この連通口１９６ｂの前面側には保護板３８０が配置されているので、排出口３４ｄから払い出されるメダルＭは保護板３８０に衝突されるようになっている。
【０１２０】
このように構成されたメダル通路部材１９０は、各取付孔２５１ａ〜２５１ｃ及び取付孔２５１ｄに取り付けたネジ１９０ｎを前面扉１ｂの背面に形成されたネジ孔２５２（図１３（Ｂ）参照）に螺入することで、前面扉１ｂに取り付けられる。ネジ１９０ｎにより取り付けられた各取付片２５０ａ〜２５０ｃとネジ１９０ｎは、取り外しを規制するための規制部材２６０ａ〜２６０ｃにより被覆されるようになっている。
【０１２１】
規制部材２６０ａ〜２６０ｃは、図１４に示すように、取付片２５０ａ〜２５０ｃ及びネジ１９０ｎを被覆可能な大きさを有する一面が開口する箱状に形成された被覆部２６１と、被覆部２６１に対し連結片２６２を介して連結され、取付孔２６４を有する有底円筒状をなす取付部２６３と、から構成されている。
【０１２２】
このように構成された規制部材２６０ａ〜２６０ｃは、被覆部２６１により各取付片２５０ａ〜２５０ｃ及びネジ１９０ｎを被覆した状態で、各取付孔２９４に、締め付け方向にしかネジを回すことができない従来公知のワンウェイネジ２６５を取り付け、前面扉１ｂに形成されたネジ孔２６６に螺入することで、前面扉１ｂに取り外し不能に取り付けられる。これにより、各取付片２５０ａ〜２５０ｃ及びネジ１９０ｎが被覆部２６１により被覆されるので、規制部材２６０ａ〜２６０ｃを取り外さない限りネジ１９０ｎにアクセスしてメダル通路部材１９０を取り外すことが困難となる。
【０１２３】
また、前面扉１ｂから規制部材２６０ａ〜２６０ｃを取り外すには、ワンウェイネジ２６５を取り外すことができないため、連結片２６２を切断して取付部２６３を被覆部２６１から切り離す、あるいは取付部２６３や被覆部２６１を破壊する必要がある。よって、前面扉１ｂから規制部材２６０ａ〜２６０ｃが取り外されたときには、切断や破壊により前面扉１ｂから規制部材２６０ａ〜２６０ｃを取り外された痕跡、すなわちメダル通路部材１９０が取り外された痕跡が残るようになっている。
【０１２４】
次に、メダルセレクタ２９、メダルシュート２００、メダル通路部材１９０、ホッパータンク３４ａの配置位置関係について、図１４及び図１５に基づいて説明する。図１５に示すように、メダルセレクタ２９は、メダル流出口１４８がホッパータンク３４ａよりも上方に位置するようにホッパータンク３４ａよりも上方位置に配設されている。また、メダルシュート２００は、メダルＭの流下底面の下流側端部がホッパータンク３４ａよりも上方に位置するようにホッパータンク３４ａよりも上方位置に配設されている。
【０１２５】
メダル通路部材１９０は、メダルセレクタ２９の下部から下方のメダル払出口９に向けて下方に延設されている。より詳しくは、メダル通路部材１９０の上端開口１９０ａ、つまり、メダルセレクタ２９の背面下部から流出するメダルＭを受け入れる受入口は、メダルセレクタ２９の下部を背面側から覆うように収容可能な大きさに形成され、かつ、メダルセレクタ２９を前面扉１ｂに対して着脱するときに、メダルセレクタ２９を手前側に傾倒させることができるように手前側に大きく開放されている。したがって、メダルセレクタ２９の下部背面側には、上端開口１９０ａが上方に開放するように設けられるため、メダル通路部材１９０とメダルセレクタ２９の本体との間に形成される上端開口１９０ａからメダルＭを流入させることができるようになっている。
【０１２６】
但し、このメダル通路部材１９０の上端開口１９０ａは、メダルセレクタ２９の下部、つまり、メダル返却通路１９１に誘導されたメダルＭが流出する流出部である、流路切替板１５０の背面側を被覆可能な位置に配置されているため、メダル返却通路１９１に誘導されたメダルＭが勢い余って上端開口１９０ａの外側に飛散して、筐体１ａ内に残存してしまうことが防止されている。
【０１２７】
このように、本実施例のメダルセレクタ２９にあっては、投入通路としてのメダル流下通路１４６を流下するメダルＭを内方側通路としてのメダルシュート２００へ流下させる流下位置（第１の位置）と、メダル流下通路１４６を流下するメダルＭを返却側通路としてのメダル返却通路１９１側へ落下させる返却位置（第２の位置）と、に移動可能な流路切替板１５０が本発明の切替部材を構成している。
【０１２８】
また、駆動手段としての流路切替ソレノイド３０による駆動が解除されたときに、切替部材としての流路切替板１５０を流下位置（第１の位置）から返却位置（第２の位置）へ移動させる圧縮バネ１５２、駆動手段としての流路切替ソレノイド３０による駆動が解除されたときに、切替部材としての流路切替板１５０が流下位置（第１の位置）から返却位置（第２の位置）へ移動するのに邪魔とならない位置に作動板１６１を移動させる引っ張りバネ１６５が本発明の動作部材を構成している。
【０１２９】
本実施例では、メダルの投入を許可する状態からメダルの投入を許可しない状態に切り替わると流路切替ソレノイド３０をｏｎに制御し、これにより流路切替板１５０が、圧縮バネ１５２により返却位置に戻るようになっており、メダル投入部４から投入されたメダルがメダル返却通路１９１内に落下し、メダル払出口９から返却される状態に戻るようになっている。
【０１３０】
このため、圧縮バネ１５２が破損して外れたり、経年劣化により流路切替板１５０の動作不良が発生することもあり、また、遊技店による不正によって圧縮バネ１５２が外されたり、異物を詰められたりすることでも、流路切替板１５０の動作不良が発生することがあり、これら動作不良が発生すると、メダルの投入を許可しない状態、すなわち外部から投入されたメダルが本来遊技者に返却されるべき状態にも関わらず、投入されたメダルが遊技者に返却されずにホッパータンク３４ａ側へ向かうメダルシュート２００に排出されてしまうことで遊技者に不利益が生じてしまう虞がある。
【０１３１】
これに対して本実施例では、メダルの投入を許可しない状態において投入されたメダルがメダルシュート２００に流下してしまうことが防止されるので、メダルの投入を許可しない状態において投入された遊技者に返却されるべきメダルが返却されないことで遊技者に不利益が生じてしまうことを防止できるようになっている。
【０１３２】
具体的には、図１４及び図１５に示すように、メダルセレクタ２９を前面扉１ｂに取り付けた際に、圧縮バネ１５２が前面扉１ｂ側となることで隠れた位置となり、また引っ張りバネ１６５がメダル返却通路１９１及び蓋体３８２により被覆されることで隠れた位置となり、圧縮バネ１５２及び引っ張りバネ１６５へのアクセスが困難となり、圧縮バネ１５２や引っ張りバネ１６５が取り外されることが規制され、流路切替ソレノイド３０が非励磁状態となったときには、圧縮バネ１５２及び引っ張りバネ１６５の付勢力によって流路切替板１５０が返却位置に移動するのでメダルの投入を許可しない状態において投入されたメダルがメダルシュート２００に流下してしまうことが防止されるようになっている。
【０１３３】
また、メダルセレクタ２９を前面扉１ｂに取り付けた際に、流路切替板１５０の前面が前面扉１ｂ側となることで隠れた位置となり、また流路切替板１５０の後面がメダル返却通路１９１及び蓋体３８２により被覆されることで隠れた位置となり、流路切替板１５０へのアクセスが困難となり、流路切替板１５０と作動板１６１との間に異物を詰める等することにより、流路切替板１５０を流下位置に留まらせる細工を行うことが防止されるのでメダルの投入を許可しない状態において投入されたメダルがメダルシュート２００に流下してしまうことが防止されるようになっている。
【０１３４】
また、図６〜図８に示すように、メダルセレクタ２９の後側下部に取り付けられる後カバー部材１８０により圧縮バネ１５２が被覆されるとともに、メダルセレクタ２９の前側上部位置に取り付けられる前カバー部材１８１により引っ張りバネ１６５が被覆されるので、圧縮バネ１５２及び引っ張りバネ１６５へのアクセスが困難となり、圧縮バネ１５２や引っ張りバネ１６５が取り外されることが規制され、流路切替ソレノイド３０が非励磁状態となったときには、圧縮バネ１５２及び引っ張りバネ１６５の付勢力によって流路切替板１５０が返却位置に移動するので、メダルの投入を許可しない状態において投入されたメダルがメダルシュート２００に流下してしまうことを防止できるようになっている。
【０１３５】
また、メダルセレクタ２９の後側下部に取り付けられる後カバー部材１８０により流路切替板１５０の後面が被覆されるとともに、メダルセレクタ２９の前側上部位置に取り付けられる前カバー部材１８１により流路切替板１５０の前面が被覆されるので、流路切替板１５０へのアクセスが困難となり、流路切替板１５０と作動板１６１との間に異物を詰める等することにより、流路切替板１５０を流下位置に留まらせる細工を行うことが防止されるので、メダルの投入を許可しない状態において投入されたメダルがメダルシュート２００に流下してしまうことを防止できるようになっている。
【０１３６】
また、後カバー部材１８０及び前カバー部材１８１は、規制部材２９０ａ〜２９０ｄを取り外さない限り取り外すことができず、後カバー部材１８０及び前カバー部材１８１の取り外しが困難となるので、圧縮バネ１５２及び引っ張りバネ１６５を取り外したり、流路切替板１５０を流下位置に留まらせる細工を施すことを効果的に規制することができる。
【０１３７】
また、規制部材２９０ａ〜ｄを取り外すと、切断や破壊により側板１４３ａ、１４３ｂから規制部材２９０ａ〜２９０ｄを取り外された痕跡、すなわち後カバー部材１８０、前カバー部材１８１が取り外された痕跡が残るようになっているので、故意に圧縮バネ１５２及び引っ張りバネ１６５を取り外したり、流路切替板１５０を流下位置に留まらせる細工を施した場合に、その痕跡が残ってしまうので、圧縮バネ１５２及び引っ張りバネ１６５を取り外したり、流路切替板１５０を流下位置に留まらせる細工を施すことをさらに効果的に規制することができる。
【０１３８】
尚、本実施例では、規制部材２９０ａ〜２９０ｄを利用することで、後カバー部材１８０、前カバー部材１８１が取り外された痕跡が残る構成であるが、例えば、一度貼ると剥がした際に、剥がした痕跡が残る特殊なシールを利用する等、他の方法で後カバー部材１８０、前カバー部材１８１が取り外された痕跡が残る構成としても良く、このような構成とした場合でも、故意に圧縮バネ１５２及び引っ張りバネ１６５を取り外したり、流路切替板１５０を流下位置に留まらせる細工を施した場合に、その痕跡が残ってしまうので、圧縮バネ１５２及び引っ張りバネ１６５を取り外したり、流路切替板１５０を流下位置に留まらせる細工を施すことをさらに効果的に規制することができる。
【０１３９】
また、本実施例では、作動板１６１が非励磁位置にあるときには、流路切替板１５０は圧縮バネ１５２が取り外された状態において、当接部１５３側の重みによって返却位置に倒れる重心となるように、揺動軸１５１が設けられており、仮に圧縮バネ１５２が取り外された状態であっても、流路切替板１５０が返却位置に維持され、流路切替ソレノイド３０が励磁状態から非励磁状態となり、作動板１６１が非励磁位置に退避すると、流路切替板１５０が自重により流下位置から返却位置に移動するようになっているので、圧縮バネ１５２が取り外された場合でも、メダルの投入を許可しない状態において投入されたメダルがメダルシュート２００に流下してしまうことを防止できるようになっている。
【０１４０】
また、引っ張りバネ１６５が取り外されると、流路切替ソレノイド３０が非励磁状態であっても作動板１６１を非励磁位置へ移動させる付勢力が働かなくなるが、圧縮バネ１５２が取り外されていなければ、圧縮バネ１５２の付勢力により流路切替板１５０が返却位置に移動し、それに押し出されて作動板１６１も非励磁位置へ移動するようになっており、さらに引っ張りバネ１６５及び圧縮バネ１５２の双方が取り外された場合であっても、流路切替板１５０が自重により作動板１６１を押し出し、流下位置から返却位置へ移動するようになっているので、圧縮バネ１５２だけでなく、引っ張りバネ１６５が取り外された場合でも、メダルの投入を許可しない状態において投入されたメダルがメダルシュート２００に流下してしまうことを防止できるようになっている。
【０１４１】
尚、本実施例では、後カバー部材１８０、前カバー部材１８１を取り付け、圧縮バネ１５２や引っ張りバネ１６５が取り外されるのを規制したり、流路切替板１５０へのアクセスを規制することなどにより、メダルの投入を許可しない状態において投入されたメダルがメダルシュート２００に流下してしまうことを防止する構成であるが、構造的にメダルの投入を許可しない状態において投入されたメダルがメダルシュート２００に流下してしまうことを防止する構成に限らず、例えば、流路切替板１５０が返却位置に移動していないことを検知する返却位置検出センサを設け、メダルの投入を許可していない状態において返却位置検出センサにより流路切替板１５０が返却位置に移動していないことが検知された場合に、メイン制御部４１やサブ制御部９１の制御によりその旨を報知する構成としても良く、このような構成とすることで、メダルの投入を許可しない状態において投入されたメダルがメダルシュート２００に流下してしまう虞があることを認識させることができるので、メダルの投入を許可しない状態において投入されたメダルがメダルシュート２００に流下してしまうことを事前に防止できる。また、この構成においては、流路切替板１５０が返却位置に移動していない旨の報知だけでなく、遊技の制御が不能化されるエラー状態に制御されることが好ましく、これによりメダルの投入を許可しない状態において投入されたメダルがメダルシュート２００に流下してしまう虞のある状況で遊技が行われてしまうことにより、実際にメダルの投入を許可しない状態において投入されたメダルがメダルシュート２００に流下してしまうことを確実に防止することができる。
【０１４２】
また、流路切替板１５０の流下位置への移動を許可する状態と、阻止する状態と、に動作することが可能な阻止部材を設け、例えば、流路切替ソレノイド３０と連動して、メダルの投入を許可しない状態において、阻止部材が流路切替板１５０の流下位置への移動を阻止する状態に動作する構成としても良く、このような構成とした場合でも、メダルの投入を許可しない状態において阻止部材により流路切替板１５０が流下位置へ移動することが阻止されるため、メダルの投入を許可しない状態において投入されたメダルがメダルシュート２００に流下してしまうことを防止できる。
【０１４３】
また、本実施例では、上記のようにメダルの投入を許可しない状態において投入されたメダルがメダルシュート２００に流下してしまうことを防止するための構成を複数備える構成であり、より確実にメダルの投入を許可しない状態において投入された遊技者に返却されるべきメダルが返却されないことで遊技者に不利益が生じてしまうことを防止できることから好ましいが、これら複数の構成のうち少なくとも１つ備えるだけであっても、メダルの投入を許可しない状態において投入された遊技者に返却されるべきメダルが返却されないことで遊技者に不利益が生じてしまうことを防止できるものである。
【０１４４】
本実施例では、メダルの投入を許可しない状態においてメダル投入部４から投入されたメダルをメダルセレクタ２９においてメダル返却通路１９１内に落下させることで、メダル払出口９から返却させるようになっている。
【０１４５】
このため、メダルの投入を許可しない状態において投入されたメダルが勢い余ってメダル返却通路１９１外に飛散してスロットマシン１の内部に留まってしまうことがあり、このような場合にも、投入されたメダル、すなわち本来遊技者に返却されるべきメダルが遊技者に返却されないことから遊技者に不利益が生じてしまう虞がある。
【０１４６】
これに対して本実施例では、メダルの投入を許可しない状態において投入されたメダルがメダル返却通路１９１外に飛散することを防止し、メダルの投入を許可しない状態において投入された遊技者に返却されるべきメダルが返却されないことで遊技者に不利益が生じてしまうことを防止できるようになっている。
【０１４７】
具体的には、図６〜図８に示すように、メダルセレクタ２９の後側下部に、流路切替板１５０が被覆されるように後カバー部材１８０を取り付けることにより、メダルの投入を許可しない状態において投入されたメダルがメダル返却通路１９１外に飛散することを防止できるようになっている。
【０１４８】
また、遊技店の不正により、後カバー部材１８０等のメダルの飛散を防止する部材を敢えて取り外すことによりメダルが飛散しやすい状況を作り出し、飛散したメダルをスロットマシン１の内部に留まらせることも考えられるが、後カバー部材１８０は、規制部材２９０ａ、２９０ｂを取り外さない限り取り外すことができず、後カバー部材１８０の取り外しが困難となるので、後カバー部材１８０を故意に取り外すことにより、メダルの投入を許可しない状態において投入されたメダルがメダル返却通路１９１外に飛散しやすい状況とすることを防止できる。
【０１４９】
また、規制部材２９０ａ、２９０ｂを取り外すと、切断や破壊により側板１４３ａ、１４３ｂから規制部材２９０ａ、２９０ｂを取り外された痕跡、すなわち後カバー部材１８０が取り外された痕跡が残るようになっているので、後カバー部材１８０を故意に取り外した場合に、その痕跡が残ってしまうので、メダルの投入を許可しない状態において投入されたメダルがメダル返却通路１９１外に飛散しやすい状況とすることを効果的に防止できる。
【０１５０】
尚、本実施例では、規制部材２９０ａ、２９０ｂを利用することで、後カバー部材１８０が取り外された痕跡が残る構成であるが、例えば、一度貼ると剥がした際に、剥がした痕跡が残る特殊なシールを利用する等、他の方法で後カバー部材１８０が取り外された痕跡が残る構成としても良く、このような構成とした場合でも、後カバー部材１８０を故意に取り外した場合に、その痕跡が残ってしまうので、メダルの投入を許可しない状態において投入されたメダルがメダル返却通路１９１外に飛散しやすい状況とすることを効果的に防止できる。
【０１５１】
また、本実施例では、図１４及び図１５に示すように、メダル返却通路１９１を構成するメダル通路部材１９０を前面扉１ｂに取り付けた際に、メダルセレクタ２９の後側下部がメダル通路部材１９０により被覆されるようになっており、メダルの投入を許可しない状態において投入されたメダルがメダル返却通路１９１外に飛散することを防止できるようになっている。
【０１５２】
また、上記のように遊技店の不正により、メダル通路部材１９０を敢えて取り外すことによりメダルが飛散しやすい状況を作り出し、飛散したメダルをスロットマシン１の内部に留まらせることも考えられるが、メダル通路部材１９０は、規制部材２６０ａ〜２６０ｃを取り外さない限り取り外すことができず、メダル通路部材１９０の取り外しが困難となるので、メダル通路部材１９０を故意に取り外すことにより、メダルの投入を許可しない状態において投入されたメダルがメダル返却通路１９１外に飛散しやすい状況とすることを防止できる。
【０１５３】
また、規制部材２６０ａ〜２６０ｃを取り外すと、切断などによりその痕跡、すなわちメダル通路部材１９０が取り外された痕跡が残るようになっているので、メダル通路部材１９０を故意に取り外した場合に、その痕跡が残ってしまうので、メダルの投入を許可しない状態において投入されたメダルがメダル返却通路１９１外に飛散しやすい状況とすることを効果的に防止できる。
【０１５４】
尚、本実施例では、規制部材２６０ａ〜２６０ｃを利用することで、メダル通路部材１９０が取り外された痕跡が残る構成であるが、例えば、一度貼ると剥がした際に、剥がした痕跡が残る特殊なシールを利用する等、他の方法でメダル通路部材１９０が取り外された痕跡が残る構成としても良く、このような構成とした場合でも、メダル通路部材１９０を故意に取り外した場合に、その痕跡が残ってしまうので、メダルの投入を許可しない状態において投入されたメダルがメダル返却通路１９１外に飛散しやすい状況とすることを効果的に防止できる。
【０１５５】
また、本実施例では、メダル通路部材１９０が、メダルセレクタ２９の後側下部を被覆する部分からメダル払出口９に接続する部分にかけて一体成形された部材であり、メダルの投入を許可しない状態において投入されたメダルがメダル返却通路１９１外に飛散しやすい状況とするために、メダル通路部材１９０を取り外すと、メダルの投入を許可しない状態において投入されたメダルが全てメダル払出口９から返却されず、内部に留まってしまうこととなり、メダル通路部材１９０が取り外されたことが容易に特定されてしまうこととなるため、メダル通路部材１９０を取り外すことによりメダルの投入を許可しない状態において投入されたメダルがメダル返却通路１９１外に飛散しやすい状況とすることを効果的に防止できる。
【０１５６】
尚、本実施例では、メダルセレクタ２９の後側下部を被覆する部分からメダル払出口９に接続する部分にかけて一体成形されたメダル通路部材１９０を用いることにより、メダルの投入を許可しない状態において投入されたメダルが全てメダル払出口９から返却されなくする構成であるが、例えば、メダル返却通路１９１外に飛散しないようにメダルセレクタ２９の周辺を被覆する部材を取り外した場合に、それに連動してメダル払出口９への経路が閉塞される構成としたり、メダル返却通路１９１外に飛散しないようにメダルセレクタ２９の周辺を被覆する部材がメダル通路部材１９０の一部を構成し、当該部材を取り外すことにより、メダル払出口９への経路が構成されず、全てのメダルがメダル返却通路１９１外に排出されるようにことで、メダルの投入を許可しない状態において投入されたメダルが全てメダル払出口９から返却されなくなる構成としても良く、このような構成とした場合でも、メダル返却通路１９１外に飛散しないようにメダルセレクタ２９の周辺を被覆する部材を取り外すと、メダルの投入を許可しない状態において投入されたメダルが全てメダル払出口９から返却されず、内部に留まってしまうこととなり、当該部材が取り外されたことが容易に特定されてしまうこととなるため、当該部材を取り外すことによりメダルの投入を許可しない状態において投入されたメダルがメダル返却通路１９１外に飛散しやすい状況とすることを効果的に防止できる。
【０１５７】
尚、本実施例では、後カバー部材１８０やメダル通路部材１９０が取り外されることを規制することなどにより、メダルの投入を許可しない状態において投入されたメダルがメダル返却通路１９１外に飛散しやすい状況とすることを防止する構成であるが、構造的にメダルの投入を許可しない状態において投入されたメダルがメダル返却通路１９１外に飛散しやすい状況とすることを防止する構成に限らず、例えば、後カバー部材１８０やメダル通路部材１９０が取り外されたことを検出するカバー検出センサを設け、カバー検出センサにより後カバー部材１８０やメダル通路部材１９０が取り外されたことが検知された場合に、メイン制御部４１やサブ制御部９１の制御によりその旨を報知する構成としても良く、このような構成とすることで、後カバー部材１８０やメダル通路部材１９０が取り外されたことを容易に特定することが可能となるので、メダルの投入を許可しない状態において投入されたメダルがメダル返却通路１９１外に飛散しやすい状況のまま放置されることを防止できる。また、この構成においては、後カバー部材１８０やメダル通路部材１９０が取り外された旨の報知だけでなく、遊技の制御が不能化されるエラー状態に制御されることが好ましく、これによりメダルの投入を許可しない状態において投入されたメダルがメダル返却通路１９１外に飛散しやすい状況で遊技が行われてしまうことにより、実際にメダルの投入を許可しない状態において投入されたメダルがメダル返却通路１９１外に飛散してしまうことを確実に防止することができる。
【０１５８】
また、本実施例では、上記のようにメダルの投入を許可しない状態において投入されたメダルがメダル返却通路１９１外に飛散してしまうことを防止するための構成を複数備える構成であり、より確実にメダルの投入を許可しない状態において投入された遊技者に返却されるべきメダルが返却されないことで遊技者に不利益が生じてしまうことを防止できることから好ましいが、これら複数の構成のうち少なくとも１つ備えるだけであっても、メダルの投入を許可しない状態において投入された遊技者に返却されるべきメダルが返却されないことで遊技者に不利益が生じてしまうことを防止できるものである。
【０１５９】
本実施例では、ホッパーユニット３４から排出されたメダルが、保護板３８０の連通口１９６ｂを通過することで、メダル通路部材１９０により構成されるメダル払出通路１９２及び合流路１９５を流下し、メダル払出口９に誘導され外部に払い出されるようになっている。
【０１６０】
このため、メダル通路部材１９０と前面扉１ｂとの間に隙間ができることでホッパーユニット３４から排出されたメダルがメダル払出通路１９２や合流路１９５から外に排出されてしまったり、メダル払出通路１９２内または合流路１９５内に留まってしまうこと、すなわちスロットマシンの内部に留まってしまうことがある。さらに、遊技店の不正によって敢えてメダル通路部材１９０と前面扉１ｂとの間に隙間ができるようにしたり、ダル払出通路１９２内または合流路１９５内にメダルが留まるように細工することにより、スロットマシンの内部に留まってしまうことがある。このような場合、遊技者に対して付与されたメダルが払い出されないことから遊技者に不利益が生じてしまう虞がある。
【０１６１】
これに対して本実施例では、ホッパーユニット３４から排出されたメダルがメダル払出口９から払い出されずスロットマシン１内部に留まることが防止されるので、遊技者に付与されたメダルが払い出されないことによって遊技者に不利益が生じてしまうことを防止できるようになっている。
【０１６２】
具体的には、メダル払出通路１９２及び合流路１９５を構成するメダル通路部材１９０が、規制部材２６０ａ〜２６０ｃを取り外さない限り取り外すことができないようにすることで、メダル通路部材１９０の取り外しが規制されるようになっており、メダル通路部材１９０と前面扉１ｂとの間に隙間ができることでホッパーユニット３４から排出されたメダルがメダル払出通路１９２や合流路１９５から外に排出されてしまうことを防止でき、メダル払出通路１９２や合流路１９５の内部に一部のメダルが詰まるように細工を施すことも困難となるので、ホッパーユニット３４から排出されたメダルがメダル払出口９から払い出されずスロットマシン１内部に留まることを防止できるようになっている。
【０１６３】
また、規制部材２６０ａ〜２６０ｃを取り外すと、切断などによりその痕跡、すなわちメダル通路部材１９０が取り外された痕跡が残るようになっているので、メダル通路部材１９０を故意に取り外した場合に、その痕跡が残ってしまうので、メダル通路部材１９０と前面扉１ｂとの間に隙間ができるようにしたり、メダル払出通路１９２や合流路１９５の内部に一部のメダルが詰まるように細工が施されることを防止できる。
【０１６４】
尚、本実施例では、規制部材２６０ａ〜２６０ｃを利用することで、メダル通路部材１９０が取り外された痕跡が残る構成であるが、例えば、一度貼ると剥がした際に、剥がした痕跡が残る特殊なシールを利用する等、他の方法でメダル通路部材１９０が取り外された痕跡が残る構成としても良く、このような構成とした場合でも、メダル通路部材１９０を故意に取り外した場合に、その痕跡が残ってしまうので、メダル通路部材１９０と前面扉１ｂとの間に隙間ができるようにしたり、メダル払出通路１９２や合流路１９５の内部に一部のメダルが詰まるように細工が施されることを防止できる。
【０１６５】
また、本実施例では、規制部材２６０ａ〜２６０ｃを利用することによりメダル払出通路１９２及び合流路１９５を構成するメダル通路部材１９０の取り外しが規制される構成であるが、メダル通路部材１９０、またはメダル通路部材１９０の各取付片２５０ａ〜２５０ｃが、他の部材により隠れる位置となる構成とすることで、メダル払出通路１９２及び合流路１９５を構成するメダル通路部材１９０の取り外しが規制される構成としても良く、このような構成であっても、メダル通路部材１９０と前面扉１ｂとの間に隙間ができることでホッパーユニット３４から排出されたメダルがメダル払出通路１９２や合流路１９５から外に排出されてしまうことを防止でき、メダル払出通路１９２や合流路１９５の内部に一部のメダルが詰まるように細工を施すことも困難となるので、ホッパーユニット３４から排出されたメダルがメダル払出口９から払い出されずスロットマシン１内部に留まることを防止できる。
【０１６６】
また、本実施例では、図１２（Ａ）（Ｂ）に示すように、メダル通路部材１９０の下部に、保護板３８０が取り付けられ、メダル通路部材１９０を前面扉１ｂから取り外した場合でも、メダル払出通路１９２及び合流路１９５へのアクセスが規制されるとともに、メダル通路部材１９０と前面扉１ｂとの間に隙間ができた場合に通路内のメダルが外部に排出されることも防止されるようになっているので、メダル通路部材１９０と前面扉１ｂとの間に隙間ができることでホッパーユニット３４から排出されたメダルがメダル払出通路１９２や合流路１９５から外に排出されてしまうことを防止でき、また、メダル通路部材１９０が取り外された場合でも、メダル払出通路１９２や合流路１９５の内部に一部のメダルが詰まるように細工を施すことも困難となるので、ホッパーユニット３４から排出されたメダルがメダル払出口９から払い出されずスロットマシン１内部に留まることを防止できるようになっている。
【０１６７】
また、保護板３８０は、メダル通路部材１９０を取り外さない限り取り外すことができず、保護板３８０の取り外しが困難となるので、保護板３８０を故意に取り外すことにより、メダル通路部材１９０と前面扉１ｂとの間に隙間ができるようにしたり、メダル払出通路１９２や合流路１９５の内部に一部のメダルが詰まるように細工が施されることを防止できる。
【０１６８】
また、保護板３８０を取り外すと、取付部の切断などによりその痕跡、すなわち保護板３８０が取り外された痕跡が残るようになっているので、保護板３８０を故意に取り外した場合に、その痕跡が残ってしまうので、保護板３８０を故意に取り外すことにより、メダル通路部材１９０と前面扉１ｂとの間に隙間ができるようにしたり、メダル払出通路１９２や合流路１９５の内部に一部のメダルが詰まるように細工が施されることを効果的に防止できる。
【０１６９】
尚、本実施例では、ワンウェイネジ３８０ａ〜３８０ｃを利用することで、保護板３８０が取り外された痕跡が残る構成であるが、例えば、一度貼ると剥がした際に、剥がした痕跡が残る特殊なシールを利用したり、前述した規制部材を利用する等、他の方法で保護板３８０が取り外された痕跡が残る構成としても良く、このような構成とした場合でも、保護板３８０を故意に取り外した場合に、その痕跡が残ってしまうので、保護板３８０を故意に取り外すことにより、メダル通路部材１９０と前面扉１ｂとの間に隙間ができるようにしたり、メダル払出通路１９２や合流路１９５の内部に一部のメダルが詰まるように細工が施されることを効果的に防止できる。
【０１７０】
尚、本実施例では、メダル通路部材１９０や保護板３８０が取り外されるのを規制することなどにより、メダル通路部材１９０と前面扉１ｂとの間に隙間ができるようにしたり、メダル払出通路１９２や合流路１９５の内部に一部のメダルが詰まるように細工が施されることを防止する構成であるが、構造的にメダル通路部材１９０と前面扉１ｂとの間に隙間ができるようにしたり、メダル払出通路１９２や合流路１９５の内部に一部のメダルが詰まるように細工が施されることを防止する構成に限らず、例えば、メダル通路部材１９０や保護板３８０が取り外されたこと、メダル通路部材１９０と前面扉１ｂとの間に隙間が形成されていること、メダル払出通路１９２や合流路１９５の内部に一部のメダルが詰まるように細工がされていることなど、払出通路内に異常が生じたことを検出する払出通路異常検出センサを設け、払出通路異常検出センサにより払出通路内に異常が生じたことが検知された場合に、メイン制御部４１やサブ制御部９１の制御によりその旨を報知する構成としても良く、このような構成とすることで、払出通路内に異常が生じたことを認識させることができるので、ホッパーユニット３４から排出されたメダルがメダル払出口９から払い出されずスロットマシン１内部に留まることを事前に防止できる。また、この構成においては、払出通路内に異常が生じた旨の報知だけでなく、遊技の制御が不能化されるエラー状態に制御されることが好ましく、これによりホッパーユニット３４から排出されたメダルがメダル払出口９から払い出されずスロットマシン１内部に留まってしまう虞のある状況で遊技が行われてしまうことにより、実際にホッパーユニット３４から排出されたメダルがメダル払出口９から払い出されずスロットマシン１内部に留まってしまうことを確実に防止することができる。
【０１７１】
次に、本発明の変形例としてのメダルセレクタ２９Ａについて、図１６は、（Ａ）は変形例としてのメダルセレクタを示す背面図、（Ｂ）は正面図である。図１７は、変形例としてのメダルセレクタ及びカバー部材を示す斜視図である。図１８は、メダルがホッパータンクに誘導される状態を示す説明図である。図１９は、メダルが返却通路に誘導される状態を示す説明図である。図２０は、（Ａ）はメダルがホッパータンクに誘導される状態を示す平面図、（Ｂ）〜（Ｄ）はメダルが返却通路に誘導される状態を示す平面図である。尚、本変形例において、上記の実施例に記載のメダルセレクタ２９と同様の構成部位については同一の符号を付すことにより詳細な説明は省略し、以下、主に相違点について説明する。
【０１７２】
図１６〜図１９に示すように、本変形例のメダルセレクタ２９Ａは、流路切替板１５０がなく、傾斜通路部１４６ｂの流下底面１５０ａは後通路板１４５の下端に形成されている。また、後通路板１４５における傾斜通路部１４６ｂに対応する位置には、後開口３００がメダルＭの流下方向に向けて延設されている。図１８に示すように、この後開口３００の上辺は、流下底面１５０ａ上を流下するメダルＭの上端よりも高い位置にあり、該メダルＭが下端を中心として後開口３００側に傾倒可能とされている。
【０１７３】
また、前通路板１４１における後開口３００に対応する位置には、前開口３０１が形成されており、作動板１６１Ａの下端に形成された当接片１６２Ａが後側に向けて屈曲形成されている。尚、変形例では、流路切替ソレノイド３０は、磁石部を後側に向けた状態で前通路板１４１の前面に対し所定の隙間を隔てて配設され、作動板１６１Ａは、流路切替ソレノイド３０と前通路板１４１との間に前後方向に揺動可能に吊支されている。よって、作動板１６１は、図１９に示すように、流路切替ソレノイド３０が非励磁状態であるときに、引っ張りバネ１６５Ａにより上端が前側に付勢されることにより、流路切替ソレノイド３０の磁石部から離間され当接片１６２Ａが傾斜通路部１４６ｂを横切るように突出する非励磁位置と、図１８に示すように、流路切替ソレノイド３０が励磁状態であるときに、引っ張りバネ１６５Ａによる付勢力に抗して流路切替ソレノイド３０の磁石部に吸着されて当接片１６２Ａが傾斜通路部１４６ｂから前面側に退避する励磁位置と、の間で揺動可能とされている。
【０１７４】
よって、図２０（Ａ）に示すように、流路切替ソレノイド３０が励磁状態であるときには、作動板１６１Ａが励磁位置に維持され、当接片１６２Ａは傾斜通路部１４６ｂから前面側に退避することで、メダルＭは、流下底面１５０ａ上を起立姿勢のまま流下してメダルシュート２００に誘導される。また、図２０（Ｂ）〜（Ｄ）に示すように、流路切替ソレノイド３０が励磁状態であるときには、作動板１６１Ａが非励磁位置に維持され、当接片１６２Ａは傾斜通路部１４６ｂを横切るように突出することで、流下底面１５０ａ上を起立姿勢で流下するメダルＭは、当接片１６２Ａに到達したときに（図２０（Ｂ）参照）、該当接片１６２Ａに接触することで起立姿勢が維持しにくくなる。このとき、メダルＭの前側は前通路板１４１の一部にて支持されているので、メダルＭの上部が後開口３００側に傾倒する（図２０（Ｃ）参照）。そして、傾倒角度が大きくなることで、メダルＭの下部が流下底面１５０ａから前側に外れて、流下底面１５０ａと前通路板１４１との間に形成された隙間から下方に向けて滑り落ち（図２０（Ｄ）参照）、メダル返却通路１９１に誘導される。
【０１７５】
尚、流路切替ソレノイド３０が非励磁状態であるときには、作動板１６１Ａは引っ張りバネ１６５Ａが取り外された状態において、当接片１６２Ａ側の重みによって当接片１６２Ａが傾斜通路部１４６ｂを横切るように突出する非励磁位置となる重心となるように、吊支されており、仮に引っ張りバネ１６５Ａが取り外された状態であっても、作動板１６１Ａが非励磁位置に維持され、流路切替ソレノイド３０が励磁状態から非励磁状態となると、作動板１６１Ａが自重により励磁位置から当接片１６２Ａが傾斜通路部１４６ｂを横切るように突出する非励磁位置に移動するようになっている。
【０１７６】
このように、本変形例としてのメダルセレクタ２９Ａにあっては、投入通路としてのメダル流下通路１４６を流下するメダルＭを内方側通路としてのメダルシュート２００へ流下させる励磁位置（第１の位置）と、メダル流下通路１４６を流下するメダルＭを返却側通路としてのメダル返却通路１９１側へ落下させる非励磁位置（第２の位置）と、に移動可能な作動板１６１Ａが本発明の切替部材を構成している。
【０１７７】
また、駆動手段としての流路切替ソレノイド３０による駆動が解除されたときに、切替部材としての作動板１６１Ａを励磁位置（第１の位置）から非励磁位置（第２の位置）へ移動させる引っ張りバネ１６５Ａが本発明の動作部材を構成している。
【０１７８】
また、本変形例においても、メダルセレクタ２９Ａの背面側下部には、後カバー部材１８０Ａが取り付けられるとともに、メダルセレクタ２９Ａの後側上部位置には、前カバー部材１８１Ａが取り付けられる。後カバー部材１８０Ａは、主に作動板１６１Ａの後部を後下側から被覆可能に形成されている。前カバー部材１８１Ａは、主に作動板１６１Ａの前部及び引っ張りバネ１６５Ａを前側から被覆可能に形成されている。
【０１７９】
また、被覆部２９１により各取付片１７０ａ〜１７０ｄ、取付片１８２ａ、１８２ｂ及びネジ１８４ａ〜１８４ｄを被覆した状態で、各取付孔２９４に、締め付け方向にしかネジを回すことができない従来公知のワンウェイネジ２９５ａ〜２９５ｄを取り付け、ネジ孔１７２ａ〜１７２ｄに螺入することで、側板１４３ａ、１４３ｂに取り外し不能に取り付けられる。これにより、各取付片１７０ａ〜１７０ｄ、取付片１８２ａ、１８２ｂ及びネジ１８４ａ〜１８４ｄが被覆部２９１により被覆されるので、規制部材２９０ａ〜２９０ｄを取り外さない限りネジ１８４ａ〜１８４ｄにアクセスして後カバー部材１８０Ａ、前カバー部材１８１Ｂを取り外すことが困難となる。
【０１８０】
また、側板１４３ａ、１４３ｂから規制部材２９０ａ〜２９０ｄを取り外すには、ワンウェイネジ２９５ａ〜２９５ｄを取り外すことができないため、連結片２９２を切断して取付部２９３を被覆部２９１から切り離す、あるいは取付部２９３や被覆部２９１を破壊する必要がある。よって、側板１４３ａ、１４３ｂから規制部材２９０ａ〜２９０ｄが取り外されたときには、切断や破壊により側板１４３ａ、１４３ｂから規制部材２９０ａ〜２９０ｄを取り外された痕跡、すなわち後カバー部材１８０Ａ、前カバー部材１８１Ａが取り外された痕跡が残るようになっている。
【０１８１】
また、本変形例においても、メダルセレクタ２９Ａを前面扉１ｂに取り付けた際に、引っ張りバネ１６５Ａが前面扉１ｂ側となることで隠れた位置となり、引っ張りバネ１６５Ａへのアクセスが困難となり、引っ張りバネ１６５Ａが取り外されることが規制され、流路切替ソレノイド３０が非励磁状態となったときには、引っ張りバネ１６５Ａの付勢力によって作動板１６１Ａの当接片１６２Ａが傾斜通路部１４６ｂを横切るように突出する非励磁位置に移動するのでメダルの投入を許可しない状態において投入されたメダルがメダルシュート２００に流下してしまうことが防止されるようになっている。
【０１８２】
また、メダルセレクタ２９Ａを前面扉１ｂに取り付けた際に、作動板１６１Ａの前部が前面扉１ｂ側となることで隠れた位置となり、また作動板１６１Ａの後部がメダル返却通路１９１及び蓋体３８２により被覆されることで隠れた位置となり、作動板１６１Ａへのアクセスが困難となり、異物を詰める等することにより、作動板１６１Ａを励磁位置に留まらせる細工を行うことが防止されるのでメダルの投入を許可しない状態において投入されたメダルがメダルシュート２００に流下してしまうことが防止されるようになっている。
【０１８３】
また、メダルセレクタ２９Ａの前側上部位置に取り付けられる前カバー部材１８１Ａにより引っ張りバネ１６５Ａが被覆されるので、引っ張りバネ１６５Ａへのアクセスが困難となり、引っ張りバネ１６５Ａが取り外されることが規制され、流路切替ソレノイド３０が非励磁状態となったときには、引っ張りバネ１６５Ａの付勢力によって作動板１６１Ａが非励磁位置に移動するので、メダルの投入を許可しない状態において投入されたメダルがメダルシュート２００に流下してしまうことを防止できるようになっている。
【０１８４】
また、メダルセレクタ２９Ａの後側下部に取り付けられる後カバー部材１８０Ａにより作動板１６１Ａの後部が被覆されるとともに、メダルセレクタ２９Ａの前側上部位置に取り付けられる前カバー部材１８１Ａにより作動板１６１Ａの前部が被覆されるので、作動板１６１Ａへのアクセスが困難となり、異物を詰める等することにより、作動板１６１Ａを励磁位置に留まらせる細工を行うことが防止されるので、メダルの投入を許可しない状態において投入されたメダルがメダルシュート２００に流下してしまうことを防止できるようになっている。
【０１８５】
また、後カバー部材１８０Ａ及び前カバー部材１８１Ａは、規制部材２９０ａ〜２９０ｄを取り外さない限り取り外すことができず、後カバー部材１８０Ａ及び前カバー部材１８１Ａの取り外しが困難となるので、引っ張りバネ１６５Ａを取り外したり、作動板１６１Ａを励磁位置に留まらせる細工を施すことを効果的に規制することができる。
【０１８６】
また、規制部材２９０ａ〜ｄを取り外すと、切断や破壊により側板１４３ａ、１４３ｂから規制部材２９０ａ〜２９０ｄを取り外された痕跡、すなわち後カバー部材１８０、前カバー部材１８１が取り外された痕跡が残るようになっているので、故意に引っ張りバネ１６５Ａを取り外したり、作動板１６１Ａを励磁位置に留まらせる細工を施した場合に、その痕跡が残ってしまうので、引っ張りバネ１６５Ａを取り外したり、作動板１６１Ａを励磁位置に留まらせる細工を施すことをさらに効果的に規制することができる。
【０１８７】
尚、本変形例では、規制部材２９０ａ〜２９０ｄを利用することで、後カバー部材１８０Ａ、前カバー部材１８１Ａが取り外された痕跡が残る構成であるが、例えば、一度貼ると剥がした際に、剥がした痕跡が残る特殊なシールを利用する等、他の方法で後カバー部材１８０Ａ、前カバー部材１８１Ａが取り外された痕跡が残る構成としても良く、このような構成とした場合でも、故意に引っ張りバネ１６５Ａを取り外したり、作動板１６１Ａを励磁位置に留まらせる細工を施した場合に、その痕跡が残ってしまうので、引っ張りバネ１６５Ａを取り外したり、作動板１６１Ａを励磁位置に留まらせる細工を施すことをさらに効果的に規制することができる。
【０１８８】
また、本変形例では、流路切替ソレノイド３０が非励磁状態であるときには、作動板１６１Ａは引っ張りバネ１６５Ａが取り外された状態において、当接片１６２Ａ側の重みによって当接片１６２Ａが傾斜通路部１４６ｂを横切るように突出する非励磁位置となる重心となるように、吊支されており、仮に引っ張りバネ１６５Ａが取り外された状態であっても、作動板１６１Ａが非励磁位置に維持され、流路切替ソレノイド３０が励磁状態から非励磁状態となると、作動板１６１Ａが自重により励磁位置から当接片１６２Ａが傾斜通路部１４６ｂを横切るように突出する非励磁位置に移動するようになっているので、引っ張りバネ１６５Ａが取り外された場合でも、メダルの投入を許可しない状態において投入されたメダルがメダルシュート２００に流下してしまうことを防止できるようになっている。
【０１８９】
尚、本変形例では、後カバー部材１８０Ａ、前カバー部材１８１Ａを取り付け、引っ張りバネ１６５Ａが取り外されるのを規制したり、作動板１６１Ａへのアクセスを規制することなどにより、メダルの投入を許可しない状態において投入されたメダルがメダルシュート２００に流下してしまうことを防止する構成であるが、構造的にメダルの投入を許可しない状態において投入されたメダルがメダルシュート２００に流下してしまうことを防止する構成に限らず、例えば、作動板１６１Ａが励磁位置に移動していないことを検知する励磁位置検出センサを設け、メダルの投入を許可していない状態において励磁位置検出センサにより作動板１６１Ａが励磁位置に移動していないことが検知された場合に、メイン制御部４１やサブ制御部９１の制御によりその旨を報知する構成としても良く、このような構成とすることで、メダルの投入を許可しない状態において投入されたメダルがメダルシュート２００に流下してしまう虞があることを認識させることができるので、メダルの投入を許可しない状態において投入されたメダルがメダルシュート２００に流下してしまうことを事前に防止できる。また、この構成においては、作動板１６１Ａが励磁位置に移動していない旨の報知だけでなく、遊技の制御が不能化されるエラー状態に制御されることが好ましく、これによりメダルの投入を許可しない状態において投入されたメダルがメダルシュート２００に流下してしまう虞のある状況で遊技が行われてしまうことにより、実際にメダルの投入を許可しない状態において投入されたメダルがメダルシュート２００に流下してしまうことを確実に防止することができる。
【０１９０】
また、作動板１６１Ａの励磁位置への移動を許可する状態と、阻止する状態と、に動作することが可能な阻止部材を設け、例えば、流路切替ソレノイド３０と連動して、メダルの投入を許可しない状態において、阻止部材が作動板１６１Ａの励磁位置への移動を阻止する状態に動作する構成としても良く、このような構成とした場合でも、メダルの投入を許可しない状態において阻止部材により作動板１６１Ａが励磁位置へ移動することが阻止されるため、メダルの投入を許可しない状態において投入されたメダルがメダルシュート２００に流下してしまうことを防止できる。
【０１９１】
また、本変形例では、上記のようにメダルの投入を許可しない状態において投入されたメダルがメダルシュート２００に流下してしまうことを防止するための構成を複数備える構成であり、より確実にメダルの投入を許可しない状態において投入された遊技者に返却されるべきメダルが返却されないことで遊技者に不利益が生じてしまうことを防止できることから好ましいが、これら複数の構成のうち少なくとも１つ備えるだけであっても、メダルの投入を許可しない状態において投入された遊技者に返却されるべきメダルが返却されないことで遊技者に不利益が生じてしまうことを防止できるものである。
【０１９２】
また、本変形例では、メダルセレクタ２９Ａの後側下部に、流路切替板１５０が被覆されるように後カバー部材１８０Ａを取り付けることにより、メダルの投入を許可しない状態において投入されたメダルがメダル返却通路１９１外に飛散することを防止できるようになっている。
【０１９３】
また、後カバー部材１８０Ａは、規制部材２９０ａ、２９０ｂを取り外さない限り取り外すことができず、後カバー部材１８０Ａの取り外しが困難となるので、後カバー部材１８０を故意に取り外すことにより、メダルの投入を許可しない状態において投入されたメダルがメダル返却通路１９１外に飛散しやすい状況とすることを防止できる。
【０１９４】
また、規制部材２９０ａ〜ｄを取り外すと、切断や破壊により側板１４３ａ、１４３ｂから規制部材２９０ａ、２９０ｂを取り外された痕跡、すなわち後カバー部材１８０が取り外された痕跡が残るようになっているので、後カバー部材１８０Ａを故意に取り外した場合に、その痕跡が残ってしまうので、メダルの投入を許可しない状態において投入されたメダルがメダル返却通路１９１外に飛散しやすい状況とすることを効果的に防止できる。
【０１９５】
尚、本変形例では、規制部材２９０ａ、２９０ｂを利用することで、後カバー部材１８０Ａが取り外された痕跡が残る構成であるが、例えば、一度貼ると剥がした際に、剥がした痕跡が残る特殊なシールを利用する等、他の方法で後カバー部材１８０が取り外された痕跡が残る構成としても良く、このような構成とした場合でも、後カバー部材１８０Ａを故意に取り外した場合に、その痕跡が残ってしまうので、メダルの投入を許可しない状態において投入されたメダルがメダル返却通路１９１外に飛散しやすい状況とすることを効果的に防止できる。
【０１９６】
また、本変形例においても、メダル返却通路１９１を構成するメダル通路部材１９０を前面扉１ｂに取り付けた際に、メダルセレクタ２９Ａの後側下部がメダル通路部材１９０により被覆されるようになっており、メダルの投入を許可しない状態において投入されたメダルがメダル返却通路１９１外に飛散することを防止できるようになっている。
【０１９７】
尚、本変形例では、後カバー部材１８０Ａやメダル通路部材１９０が取り外されることを規制することなどにより、メダルの投入を許可しない状態において投入されたメダルがメダル返却通路１９１外に飛散しやすい状況とすることを防止する構成であるが、構造的にメダルの投入を許可しない状態において投入されたメダルがメダル返却通路１９１外に飛散しやすい状況とすることを防止する構成に限らず、例えば、後カバー部材１８０Ａやメダル通路部材１９０が取り外されたことを検出するカバー検出センサを設け、カバー検出センサにより後カバー部材１８０Ａやメダル通路部材１９０が取り外されたことが検知された場合に、メイン制御部４１やサブ制御部９１の制御によりその旨を報知する構成としても良く、このような構成とすることで、後カバー部材１８０Ａやメダル通路部材１９０が取り外されたことを容易に特定することが可能となるので、メダルの投入を許可しない状態において投入されたメダルがメダル返却通路１９１外に飛散しやすい状況のまま放置されることを防止できる。また、この構成においては、後カバー部材１８０Ａやメダル通路部材１９０が取り外された旨の報知だけでなく、遊技の制御が不能化されるエラー状態に制御されることが好ましく、これによりメダルの投入を許可しない状態において投入されたメダルがメダル返却通路１９１外に飛散しやすい状況で遊技が行われてしまうことにより、実際にメダルの投入を許可しない状態において投入されたメダルがメダル返却通路１９１外に飛散してしまうことを確実に防止することができる。
【０１９８】
また、本変形例では、上記のようにメダルの投入を許可しない状態において投入されたメダルがメダル返却通路１９１外に飛散してしまうことを防止するための構成を複数備える構成であり、より確実にメダルの投入を許可しない状態において投入された遊技者に返却されるべきメダルが返却されないことで遊技者に不利益が生じてしまうことを防止できることから好ましいが、これら複数の構成のうち少なくとも１つ備えるだけであっても、メダルの投入を許可しない状態において投入された遊技者に返却されるべきメダルが返却されないことで遊技者に不利益が生じてしまうことを防止できるものである。
【０１９９】
また、上記の実施例では、流路切替板１５０が、メダルの投入を許可する状態ではメダル流下通路１４６の下面を形成する流下位置となり、メダルの投入を許可しない状態ではメダル流下通路１４６の下面を形成せず、投入されたメダルが落下することとなる返却位置に移動することで、メダルの投入を許可しない状態で投入されたメダルをメダル返却通路１９１に落下させるメダルセレクタ２９を例示し、上記の変形例では、作動板１６１Ａが、メダルの投入を許可する状態では作動板１６１Ａの当接片１６２Ａが通路内から退避する励磁位置となり、メダルの投入を許可しない状態では、当接片１６２Ａが通路内を横切るように突出し、投入されたメダルが当接片１６２Ａに接触して落下することとなる非励磁位置に移動することで、メダルの投入を許可しない状態で投入されたメダルをメダル返却通路１９１に落下させるメダルセレクタ２９Ａを例示しているが、少なくとも投入されたメダルをスロットマシン内部（ホッパータンク３４ａ）へ導く通路へ流下させる第１の位置と、スロットマシン外部（メダル払出口８）へ導く通路へ落下させる第２の位置と、に移動可能な切替部材と、切替部材を第１の位置に移動させる駆動手段と、駆動手段の駆動が解除されたときに、切替部材を第２の位置に移動させる動作部材と、を備える構成であれば、本発明を適用可能である。
【０２００】
例えば、流下するメダルの一部（例えばメダルの上部または側部等）を支持する第１の位置に移動する案内部材を備え、駆動手段の駆動により案内部材が第１の位置となることで、流下するメダルがスロットマシン内部（ホッパータンク３４ｂ）へ導く通路へ案内されるとともに、駆動手段の駆動が解除されることで、動作部材の付勢力により、流下するメダルを支持しない位置に退避する第２の位置に移動し、流下するメダルが支持されず、メダルの姿勢を維持することが困難となることで、投入されたメダルをスロットマシン外部（メダル払出口８）へ導く通路へ落下させるメダルセレクタを適用しても良い。
【０２０１】
すなわち上記実施例では、メダルの投入を許可しない状態において通路の下面がなくなる状態とすることでメダルをスロットマシン外部へ導く通路へ落下させる構成であったが、通路の下面以外の一部が支持されなくなる状態とすることでメダルをスロットマシン外部へ導く通路へ落下させる構成としても良い。
【０２０２】
このようなメダルセレクタを適用した場合にも、上記と同様に動作部材の取り外しを規制したり、案内部材へのアクセスを規制することで、メダルの投入を禁止する状態において投入されたメダルがスロットマシン内部に流下してしまうことを防止できる。
【０２０３】
また、通路の下面以外の一部が支持されなくなる状態とすることでメダルをスロットマシン外部へ導く通路へ落下させる構成において、常時通路内に突出するように動作部材によって付勢され、通過するメダルによって押圧されることで通路外に退避可能な押圧片を備え、案内部材が第１の位置の状態では、メダルが押圧片に押されても案内部材に支持されてそのまま流下する一方、案内部材が第２の位置の状態では、メダルが押圧片に押されることでスロットマシン外部へ導く通路に落下する構成としても良く、これにより確実にメダルを落下させることができる。
【０２０４】
また、押圧片を備える構成においては、押圧片の取り外し、押圧片を付勢する動作部材の取り外し、押圧片へのアクセスを規制することで、メダルの投入を禁止する状態において投入されたメダルがスロットマシン内部に流下してしまうことを防止できる。
【０２０５】
以上、本発明の実施例を図面により説明してきたが、本発明はこの実施例に限定されるものではなく、本発明の主旨を逸脱しない範囲における変更や追加があっても本発明に含まれることは言うまでもない。
【０２０６】
前記実施例では、本発明を遊技用価値としてメダル並びにクレジットを用いて賭数が設定されるスロットマシンに適用した例ついて説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例１で賭数として３を設定する場合は、１５個の遊技球を用いて賭数を設定するものに相当する。
【０２０７】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【０２０８】
前記実施例では、可変表示装置として外周に複数種の図柄が配列されたリールを回転させることにより図柄が透視窓３に連続的に変化しつつ表示される構成であるが、リールに替えて外周に複数種の図柄が配列されたベルトを移動させることにより図柄が透視窓３に連続的に変化しつつ表示される可変表示装置を適用しても良い。さらに液晶表示器などの画像表示装置に、図柄画像などの識別情報を所定の順番で周期的に移動させる画像を表示させることで表示画面上に識別情報が連続的に変化しつつ表示される可変表示装置を適用しても良い。
【符号の説明】
【０２０９】
１    スロットマシン
１ｂ    前面扉
４    メダル投入部
９    メダル払出口
２９    メダルセレクタ
２９Ａ    メダルセレクタ
３０    流路切替ソレノイド
３４    ホッパーユニット
３４ａ    ホッパータンク
１４６    メダル流下通路
１５０    流路切替板
１５２    圧縮バネ
１６１Ａ    作動板
１６５    引っ張りバネ
１６５Ａ    引っ張りバネ
１８０    後カバー部材
１８０Ａ    後カバー部材
１８１    前カバー部材
１８１Ａ    前カバー部材
１９０    メダル通路部材
１９１    メダル返却通路
１９２    メダル払出通路
１９５    合流路
２００    メダルシュート
【図１】
2017159175.tif 000003
【図２】
2017159175.tif 000004
【図３】
2017159175.tif 000005
【図４】
2017159175.tif 000006
【図５】
2017159175.tif 000007
【図６】
2017159175.tif 000008
【図７】
2017159175.tif 000009
【図８】
2017159175.tif 000010
【図９】
2017159175.tif 000011
【図１０】
2017159175.tif 000012
【図１１】
2017159175.tif 000013
【図１２】
2017159175.tif 000014
【図１３】
2017159175.tif 000015
【図１４】
2017159175.tif 000016
【図１５】
2017159175.tif 000017
【図１６】
2017159175.tif 000018
【図１７】
2017159175.tif 000019
【図１８】
2017159175.tif 000020
【図１９】
2017159175.tif 000021
【図２０】
2017159175.tif 000022